(57)【特許請求の範囲】
【請求項１】
無線通信ネットワークにおいて通信する方法であって、
マクロセル・ノードによって送信される予め定められた信号を、フェムトセル・ノードにおいて判定することと、
前記予め定められた信号を判定することに応じて、前記フェムトセル・ノードによって送信される信号の帯域幅を調節することと、
前記予め定められた信号を判定することに応じて、前記フェムトセル・ノードによって送信される信号の送信電力を調節することとを備え、ここで、前記フェムトセル・ノードによって送信される信号は、複数のサブキャリアを備え、
前記信号の送信電力を調節することは、
前記複数のサブキャリアのうちの第１のサブセットの送信電力を低下させることと、
前記複数のサブキャリアのうちの第２のサブセットの送信電力を増加させることとを備え、
前記信号の帯域幅を調節することは、前記フェムトセル・ノードからの送信を、第１のキャリア帯域幅内に構成された前記複数のサブキャリアの第３のサブセットに制限することを備える方法。
【請求項２】
前記複数のサブキャリアのサブセットは、前記マクロセル・ノードに関連付けられた第２のキャリア帯域幅に隣接した前記第１のキャリア帯域幅の第１の端部に隣接した１または複数のサブキャリアを含まない請求項１に記載の方法。
【請求項３】
フェムト・ノードであって、
マクロセル・ノードによって送信される予め定められた信号を、フェムトセル・ノードにおいて判定し、
前記予め定められた信号を判定することに応じて、前記フェムトセル・ノードによって送信される信号の帯域幅を調節し、
前記予め定められた信号を判定することに応じて、前記フェムトセル・ノードによって送信される信号の送信電力を調節するように構成された信号電力判定部を備え、ここで、前記フェムトセル・ノードによって送信される信号は、複数のサブキャリアを備え、
前記信号の送信電力を調節することは、
前記複数のサブキャリアのうちの第１のサブセットの送信電力を低下させることと、
前記複数のサブキャリアのうちの第２のサブセットの送信電力を増加させることとを備え、
前記信号の帯域幅を調節することは、前記フェムトセル・ノードからの送信を、第１のキャリア帯域幅内に構成された前記複数のサブキャリアの第３のサブセットに制限することを備えるフェムト・ノード。
【請求項４】
フェムト・ノードであって、
マクロセル・ノードによって送信される予め定められた信号を、フェムトセル・ノードにおいて判定する手段と、
前記予め定められた信号を判定することに応じて、前記フェムトセル・ノードによって送信される信号の帯域幅を調節する手段と、
前記予め定められた信号を判定することに応じて、前記フェムトセル・ノードによって送信される信号の送信電力を調節する手段とを備え、ここで、前記フェムトセル・ノードによって送信される信号は、複数のサブキャリアを備え、
前記信号の送信電力を調節する手段は、
前記複数のサブキャリアのうちの第１のサブセットの送信電力を低下させ、
前記複数のサブキャリアのうちの第２のサブセットの送信電力を増加させるように構成され、
前記信号の帯域幅を調節する手段は、前記フェムトセル・ノードからの送信を、第１のキャリア帯域幅内に構成された前記複数のサブキャリアの第３のサブセットに制限するように構成されているフェムト・ノード。
【請求項５】
コンピュータ読取可能な記憶媒体であって、
コンピュータに対して、
マクロセル・ノードによって送信される予め定められた信号を、フェムトセル・ノードにおいて判定させ、
前記予め定められた信号を判定することに応じて、前記フェムトセル・ノードによって送信される信号の帯域幅を調節させ、
前記予め定められた信号を判定することに応じて、前記フェムトセル・ノードによって送信される信号の送信電力を調節させるためのコードを備え、ここで、前記フェムトセル・ノードによって送信される信号は、複数のサブキャリアを備え、
前記コンピュータに対して、前記信号の送信電力を調節させるためのコードは、前記コンピュータに対して、
前記複数のサブキャリアのうちの第１のサブセットの送信電力を低下させ、
前記複数のサブキャリアのうちの第２のサブセットの送信電力を増加させるためのコードを備え、
前記コンピュータに対して、前記信号の帯域幅を調節させるためのコードは、前記コンピュータに対して、前記フェムトセル・ノードからの送信を、第１のキャリア帯域幅内に構成された前記複数のサブキャリアの第３のサブセットに制限させるためのコードを備えるコンピュータ読取可能な記憶媒体。
【請求項６】
通信デバイスで使用される装置であって、
メモリと、前記メモリに接続されたプロセッサとを備え、
前記プロセッサは、
マクロセル・ノードによって送信される予め定められた信号を、フェムトセル・ノードにおいて判定し、
前記予め定められた信号を判定することに応じて、前記フェムトセル・ノードによって送信される信号の帯域幅を調節し、
前記予め定められた信号を判定することに応じて、前記フェムトセル・ノードによって送信される信号の送信電力を調節するための、前記メモリに格納された命令群を実行するように構成されており、ここで、前記フェムトセル・ノードによって送信される信号は、複数のサブキャリアを備え、
前記信号の送信電力を調節するための命令は、
前記複数のサブキャリアのうちの第１のサブセットの送信電力を低下させ、
前記複数のサブキャリアのうちの第２のサブセットの送信電力を増加させるための命令群を備え、
前記信号の帯域幅を調節するための命令は、前記フェムトセル・ノードからの送信を、第１のキャリア帯域幅内に構成された前記複数のサブキャリアの第３のサブセットに制限するための命令を備える装置。
【発明の詳細な説明】
【関連出願に対する相互参照】
【０００１】
本願は、２００９年３月１２日に出願された「アクセス・ポイント基地局における隣接チャネル干渉緩和のための方法および装置」（METHOD AND APPARATUS FOR ADJACENT CHANNEL INTERFERENCE MITIGATION IN ACCESS POINT BASE STATIONS）と題された米国仮特許出願６１／１５９，７５３号に対する３５Ｕ．Ｓ．Ｃ．§１１９（ｅ）の下の優先権を主張する。この出願の内容は、すべての目的のために、その全体が本明細書において参照によって組み込まれている。
【技術分野】
【０００２】
本願は、一般に、無線通信システムに関する。さらに詳しくは、限定される訳ではないが、本願は、他の無線ネットワークに隣接して動作するフェムトセルにおける干渉緩和のための方法および装置に向けられる。
【背景技術】
【０００３】
無線通信システムは、例えば、音声、データ、ビデオ等のようなさまざまなタイプのコンテンツを提供するために広く開発されてきた。これらのシステムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、第３世代パートナシップ計画（３ＧＰＰ）ロング・ターム・イボリューション（ＬＴＥ）システムのみならず、その他の直交周波数分割多元接続（ＯＦＤＭＡ）システムを含む。
【０００４】
一般に、無線多元接続通信システムは、モバイル、ユーザ機器、またはＵＥとしても知られている複数のモバイル端末のための通信を同時にサポートすることができる。端末はおのおのの、順方向リンクおよび逆方向リンクによる送信を介して１または複数の基地局と通信することができる。（ダウンリンクとしても知られている）順方向リンクは、基地局から端末への通信リンクを称し、（アップリンクとしても知られている）逆方向リンクは、端末から基地局への通信リンクを称する。これらの通信リンクは、単一入力単一出力、単一入力複数出力、複数入力単一出力、あるいは、複数入力複数出力（ＭＩＭＯ）システムを含むシステムによって確立されうる。
【０００５】
現在使用されているモバイル電話ネットワークに加えて、小型基地局からなる新たなクラスが出現した。これらは、既存のブロードバンド・インターネット接続と連携してＵＥへ屋内無線有効通信範囲を提供する例えばユーザの住宅や事務所の環境のように、よりローカルな環境において設置されうる。これらの小規模な基地局は、一般に、アクセス・ポイント基地局、あるいは、ホーム・ノードＢ（ＨＮＢ）、ホーム・イボルブド・ノードＢ（ＨｅＮＢ）、またはフェムトセルとして知られている。一般に、これら小規模な基地局は、例えばＤＳＬ、ルータ、またはケーブル・モデムを経由してインターネットおよびオペレータのネットワークに接続される。
【０００６】
これらの小規模な基地局は、住宅、事務所、またはその他のビルディング、あるいは、ローカル・エリアにおけるユーザによって展開され、その他のフェムトセル、ピコセル、マクロセル、および／または、その他の無線ネットワークからの干渉を被る。これらはまた、他のネットワークにおいても干渉をもたらしうる。したがって、当該技術分野では、これら無線ネットワーク間の干渉緩和のための方法および装置に対するニーズがある。
【発明の概要】
【０００７】
本開示は、一般に、無線ネットワークにおける干渉を緩和するための装置および方法に関する。アクセス・ポイント基地局またはＨｅＮＢを用いる１つの実施では、他のネットワークの存在が検出され、例えば帯域幅および電力レベルのような１または複数の伝送パラメータが調節されうる。このような調節を実施することによって、ネットワーク間の干渉レベルが、許容可能な制限内に維持されうる。
【０００８】
１つの態様では、隣接チャネル干渉を最小化する方法は、無線ネットワークのノードにおいて、複数の隣接チャネルのうちの１または複数において受信した信号電力を感知することと、これに応じて、隣接チャネルが、第１のネットワーク・タイプの隣接無線ネットワーク、または、第２のネットワーク・タイプの隣接無線ネットワークによって使用されているかを判定することと、受信した信号電力に応じて、隣接チャネルにおける干渉レベルを最小化するために、ノードによって送信される出力電力を調節することとを含む。
【０００９】
別の態様では、隣接チャネル干渉を最小化する方法は、無線ネットワークのノードにおいて、複数の隣接チャネルのうちの少なくとも１つにおいて受信した少なくとも１つの信号の電力レベルを判定することと、ここで、複数の隣接チャネルは、第１のネットワーク・タイプの隣接無線ネットワークによって、あるいは、第２のネットワーク・タイプの隣接無線ネットワークによって使用されており、電力レベルが判定されることに応じて、ノードの出力電力を調節することとを含む。
【００１０】
別の態様では、フェムト・ノードは、複数の隣接チャネルのうちの少なくとも１つのチャネルで受信した少なくとも１つの信号の電力レベルを判定するように構成された信号電力判定部と、ここで、複数の隣接チャネルは、第１のネットワーク・タイプの隣接無線ネットワークによって、あるいは、第２のネットワーク・タイプの隣接無線ネットワークによって使用されており、電力レベルが判定されることに応じて、フェムト・ノードの出力電力を調節するように構成された送信電力コントローラとを含む。
【００１１】
別の態様では、コンピュータに対して、無線ネットワークのノードにおいて、複数の隣接チャネルのうちの少なくとも１つにおいて受信した少なくとも１つの信号の電力レベルを判定させ、ここで、複数の隣接チャネルは、第１のネットワーク・タイプの隣接無線ネットワークによって、あるいは、第２のネットワーク・タイプの隣接無線ネットワークによって使用されており、電力レベルが判定されることに応じて、ノードの出力電力を調節させるためのコードを含むコンピュータ読取可能媒体を備えるコンピュータ・プログラム製品。
【００１２】
別の態様では、干渉緩和のための方法は、第１のキャリア帯域幅内の第１の複数のサブキャリアが、アップリンク制御チャネルの第１のセットをマクロセル・ノードへ伝送するために使用されていることを判定することと、アップリンク制御チャネルの第２のセットをフェムトセル・ノードへ伝送する際に使用するために、第２のキャリア帯域幅内の第２の複数のサブキャリアを割り当てることとを含む。ここで、第１の複数のサブキャリアと、第２の複数のサブキャリアとは直交している。
【００１３】
別の態様では、干渉緩和のための方法は、第１の無線通信システムのノードにおいて、第２の無線通信システムの１または複数のノードによって送信された受信信号電力レベルを判定することと、電力レベルが判定されることに応じて、ノードによって送信される信号の帯域幅を調節することとを含む。
【００１４】
別の態様では、方法は、マクロセル・ノードから、第１の複数のサブキャリア信号を受信することと、マクロセル・ノードから、第２の複数のサブキャリア信号を受信することと、ここで、第２の複数のサブキャリアは、フェムトセル・ノードと共有された帯域幅内に含まれており、第２の複数のサブキャリア信号によって伝送された第２の複数の変調シンボルに対して異なるように、第１の複数のサブキャリア信号によって伝送される第１の複数の変調シンボルを重み付けることとを含む。
【００１５】
別の態様では、通信デバイスで使用される装置は、メモリと、メモリに接続されたプロセッサとを含む。このプロセッサは、無線ネットワークのノードにおいて、複数の隣接チャネルのうちの少なくとも１つにおいて受信した少なくとも１つの信号の電力レベルを判定し、ここで、複数の隣接チャネルは、第１のネットワーク・タイプの隣接無線ネットワークによって、あるいは、第２のネットワーク・タイプの隣接無線ネットワークによって使用されており、電力レベルが判定されることに応じて、ノードの出力電力を調節するための、メモリに格納された命令群を実行するように構成されている。
【００１６】
別の態様では、フェムト・ノードは、第１のキャリア帯域幅内の第１の複数のサブキャリアが、アップリンク制御チャネルの第１のセットをマクロセル・ノードへ伝送するために使用されていることを判定するように構成された信号電力判定部と、アップリンク制御チャネルの第２のセットをフェムトセル・ノードへ伝送する際に使用するために、第２のキャリア帯域幅内の第２の複数のサブキャリアを割り当てるように構成された送信電力コントローラとを含み、ここで、第１の複数のサブキャリアと、第２の複数のサブキャリアとは直交している。
【００１７】
別の態様では、コンピュータに対して、第１のキャリア帯域幅内の第１の複数のサブキャリアが、アップリンク制御チャネルの第１のセットをマクロセル・ノードへ伝送するために使用されていることを判定させ、アップリンク制御チャネルの第２のセットをフェムトセル・ノードへ伝送する際に使用するために、第２のキャリア帯域幅内の第２の複数のサブキャリアを割り当てさせるためのコードを含むコンピュータ読取可能媒体を備えるコンピュータ・プログラム製品。ここで、第１の複数のサブキャリアと、第２の複数のサブキャリアとは直交している。
【００１８】
別の態様では、フェムト・ノードは、第１の無線通信システムのノードにおいて、第２の無線通信システムの１または複数のノードによって送信された受信信号電力レベルを判定し、電力レベルが判定されることに応じて、ノードによって送信される信号の帯域幅を調節するように構成された信号電力判定部を含む。
【００１９】
別の態様では、コンピュータに対して、第１の無線通信システムのノードにおいて、第２の無線通信システムの１または複数のノードによって送信された受信信号電力レベルを判定させ、電力レベルが判定されることに応じて、ノードによって送信される信号の帯域幅を調節させるためのコードを含むコンピュータ読取可能媒体を備えるコンピュータ・プログラム製品。
【００２０】
別の態様では、フェムト・ノードは、マクロセル・ノードによって送信された予め定められた信号を、フェムトセル・ノードにおいて判定し、予め定められた信号を判定することに応じて、フェムトセル・ノードによって送信される信号の帯域幅を調節するように構成された信号電力判定部を含む。
【００２１】
別の態様では、フェムト・ノードは、マクロセル・ノードから、第１の複数のサブキャリア信号を受信し、マクロセル・ノードから、第２の複数のサブキャリア信号を受信し、ここで、第２の複数のサブキャリアは、フェムトセル・ノードと共有された帯域幅内に含まれており、第２の複数のサブキャリア信号によって伝送された第２の複数の変調シンボルに対して異なるように、第１の複数のサブキャリア信号によって伝送される第１の複数の変調シンボルを重み付けるように構成された信号電力判定部を含む。
【００２２】
別の態様では、コンピュータに対して、マクロセル・ノードから、第１の複数のサブキャリア信号を受信させ、マクロセル・ノードから、第２の複数のサブキャリア信号を受信させ、ここで、第２の複数のサブキャリアは、フェムトセル・ノードと共有された帯域幅内に含まれており、第２の複数のサブキャリア信号によって伝送された第２の複数の変調シンボルに対して異なるように、第１の複数のサブキャリア信号によって伝送される第１の複数の変調シンボルを重み付けさせるためのコードを含むコンピュータ読取可能媒体を備えるコンピュータ・プログラム製品。
【００２３】
本明細書で示された実施形態のさらなる態様が、添付図面とともに以下にさらに説明される。
【図面の簡単な説明】
【００２４】
本開示の特徴、特性、および利点は、同一の参照符号が全体を通じて同一物に特定している図面とともに考慮された場合、以下に記載する詳細な記述からより明らかになるだろう。
【図１】図１は、多元接続無線通信システムを例示する。
【図２】図２は、ＨｅＮＢおよびＵＥ構成の例を示すブロック図である。
【図３】図３は、ネットワーク環境内のアクセス・ポイント基地局の配置を可能にする通信システムを例示する。
【図４】図４は、無線通信システムにおけるフェムトセルの使用を図示する。
【図５】図５は、無線通信システムにおける隣接チャネルとの干渉環境の例を図示する。
【図６】図６は、ＬＴＥシステムにおけるリソース・ブロックおよびスペクトル構成を図示する。
【図７】図７は、隣接チャネル干渉緩和のための処理を例示する。
【図８】図８は、コンフィギュレーションＰＵＣＣＨリソースによる隣接チャネル干渉緩和のための処理を例示する。
【図９Ａ】図９Ａは、マクロセルに隣接して動作している通信デバイスの例の周波数割当を図示する。
【図９Ｂ】図９Ｂは、図９Ａに関して記載された通信デバイスのためのフィルタ動作後の帯域幅を例示する。
【図１０Ａ】図１０Ａは、無線通信システムにおけるＨｅＮＢとマクロセルとの間で共有される帯域幅を図示する。
【図１０Ｂ】図１０Ｂは、帯域幅調節の１つの実施を図示する。
【図１０Ｃ】図１０Ｃは、帯域幅調節の別の実施を図示する。
【図１１】図１１は、無線通信システムにおける干渉を緩和するために帯域幅を調節する処理を例示する。
【発明を実施するための形態】
【００２５】
本開示は、一般に、無線ネットワークにおける干渉を緩和するための装置および方法に関する。実施形態のさまざまな態様が、以下に述べられる。本明細書における教示は、さまざまな広範な形態で実現され、本明細書で開示されているあらゆる具体的な構成、機能、またはこれら両方は、単に代表例であることが明らかであるべきである。本明細書における教示に基づいて、当業者であれば、本明細書に開示された態様は、その他任意の態様と独立して実施され、これら態様のうちの複数は、さまざまな方式で組み合わされうることを認識すべきである。例えば、本明細書に記載された任意の数の態様を用いて装置が実施され、方法が実現されうる。さらに、他の構成や機能、および、本明細書に記載された態様のうちの１または複数に追加された、または、その代わりとなる他の構成や機能を用いて、このような装置が実装され、このような方法が実現されうる。さらに、態様は、特許請求の範囲のうちの少なくとも１つの構成要素を含みうる。さまざまな実施形態が、処理および方法、装置およびデバイス、システム、および／または、コンピュータ読取可能媒体の形態で実現されうる。
【００２６】
アクセス・ポイント基地局またはＨｅＮＢを用いる１つの実施では、他のネットワークの存在が検出され、例えば、帯域幅、チャネライゼーション、および／または電力レベルのような１または複数の伝送パラメータが調節されうる。このような調節を実行することによって、ネットワーク間の干渉レベルが、許容可能な制限内に維持されうる。
【００２７】
別の態様では、隣接チャネル干渉を最小化する方法は、無線ネットワークのノードにおいて、複数の隣接チャネルのうちの１または複数において受信した信号電力を感知することと、これに応じて、隣接チャネルが、第１のネットワーク・タイプの隣接無線ネットワーク、または、第２のネットワーク・タイプの隣接無線ネットワークによって使用されているかを判定することと、受信した信号電力に応じて、隣接チャネルにおける干渉レベルを最小化するために、ノードによって送信される出力電力を調節することと含む。
【００２８】
別の態様では、隣接チャネル干渉を最小化する方法は、無線ネットワークのノードにおいて、複数の隣接チャネルのうちの少なくとも１つにおいて受信した少なくとも１つの信号の電力レベルを判定することと、ここで、複数の隣接チャネルは、第１のネットワーク・タイプの隣接無線ネットワークによって、あるいは、第２のネットワーク・タイプの隣接無線ネットワークによって使用されており、電力レベルが判定されることに応じて、ノードの出力電力を調節することとを含む。
【００２９】
別の態様では、フェムト・ノードは、複数の隣接チャネルのうちの少なくとも１つのチャネルで受信した少なくとも１つの信号の電力レベルを判定するように構成された信号電力判定部と、ここで、複数の隣接チャネルは、第１のネットワーク・タイプの隣接無線ネットワークによって、あるいは、第２のネットワーク・タイプの隣接無線ネットワークによって使用されており、電力レベルが判定されることに応じて、ノードの出力電力を調節するように構成された送信電力コントローラとを含む。
【００３０】
別の態様では、コンピュータに対して、無線ネットワークのノードにおいて、複数の隣接チャネルのうちの少なくとも１つにおいて受信した少なくとも１つの信号の電力レベルを判定させ、ここで、複数の隣接チャネルは、第１のネットワーク・タイプの隣接無線ネットワークによって、あるいは、第２のネットワーク・タイプの隣接無線ネットワークによって使用されており、電力レベルが判定されることに応じて、ノードの出力電力を調節させるためのコードを含むコンピュータ読取可能媒体を備えるコンピュータ・プログラム製品。
【００３１】
別の態様では、干渉緩和のための方法は、第１のキャリア帯域幅内の第１の複数のサブキャリアが、アップリンク制御チャネルの第１のセットをマクロセル・ノードへ伝送するために使用されていることを判定することと、アップリンク制御チャネルの第２のセットをフェムトセル・ノードへ伝送する際に使用するために、第２のキャリア帯域幅内の第２の複数のサブキャリアを割り当てることとを含む。ここで、第１の複数のサブキャリアと、第２の複数のサブキャリアとは直交している。
【００３２】
別の態様では、干渉緩和のための方法は、第１の無線通信システムのノードにおいて、第２の無線通信システムの１または複数のノードによって送信された受信信号電力レベルを判定することと、電力レベルが判定されることに応じて、ノードによって送信される信号の帯域幅を調節することとを含む。
【００３３】
別の態様では、方法は、マクロセル・ノードから、第１の複数のサブキャリア信号を受信することと、マクロセル・ノードから、第２の複数のサブキャリア信号を受信することと、ここで、第２の複数のサブキャリアは、フェムトセル・ノードと共有された帯域幅内に含まれており、第２の複数のサブキャリア信号によって伝送された第２の複数の変調シンボルに対して異なるように、第１の複数のサブキャリア信号によって伝送される第１の複数の変調シンボルを重み付けることとを含む。
【００３４】
別の態様では、通信デバイスで使用される装置は、メモリと、メモリに接続されたプロセッサとを含む。ここで、プロセッサは、無線ネットワークのノードにおいて、複数の隣接チャネルのうちの少なくとも１つにおいて受信した少なくとも１つの信号の電力レベルを判定することと、ここで、複数の隣接チャネルは、第１のネットワーク・タイプの隣接無線ネットワークによって、あるいは、第２のネットワーク・タイプの隣接無線ネットワークによって使用されており、電力レベルが判定されることに応じて、ノードの出力電力を調節することとのための、メモリに格納された命令群を実行するように構成されている。
【００３５】
別の態様では、フェムト・ノードは、第１のキャリア帯域幅内の第１の複数のサブキャリアが、アップリンク制御チャネルの第１のセットをマクロセル・ノードへ伝送するために使用されていることを判定するように構成された信号電力判定部と、アップリンク制御チャネルの第２のセットをフェムトセル・ノードへ伝送する際に使用するために、第２のキャリア帯域幅内の第２の複数のサブキャリアを割り当てるように構成された送信電力コントローラとを含む。ここで、第１の複数のサブキャリアと、第２の複数のサブキャリアとは直交している。
【００３６】
別の態様では、コンピュータに対して、第１のキャリア帯域幅内の第１の複数のサブキャリアが、アップリンク制御チャネルの第１のセットをマクロセル・ノードへ伝送するために使用されていることを判定させ、アップリンク制御チャネルの第２のセットをフェムトセル・ノードへ伝送する際に使用するために、第２のキャリア帯域幅内の第２の複数のサブキャリアを割り当てさせるためのコードを含むコンピュータ読取可能媒体を備えるコンピュータ・プログラム製品。ここで、第１の複数のサブキャリアと、第２の複数のサブキャリアとは直交している。
【００３７】
別の態様では、フェムト・ノードは、第１の無線通信システムのノードにおいて、第２の無線通信システムの１または複数のノードによって送信された受信信号電力レベルを判定し、電力レベルが判定されることに応じて、ノードによって送信される信号の帯域幅を調節するように構成された信号電力判定部を含む。
【００３８】
別の態様では、コンピュータに対して、第１の無線通信システムのノードにおいて、第２の無線通信システムの１または複数のノードによって送信された受信信号電力レベルを判定させ、電力レベルが判定されることに応じて、ノードによって送信される信号の帯域幅を調節させるためのコードを含むコンピュータ読取可能媒体を備えるコンピュータ・プログラム製品。
【００３９】
別の態様では、フェムト・ノードは、マクロセル・ノードによって送信された予め定められた信号を、フェムトセル・ノードにおいて判定し、予め定められた信号を判定することに応じて、フェムトセル・ノードによって送信される信号の帯域幅を調節するように構成された信号電力判定部を含む。
【００４０】
別の態様では、フェムト・ノードは、マクロセル・ノードから、第１の複数のサブキャリア信号を受信し、マクロセル・ノードから、第２の複数のサブキャリア信号を受信し、ここで、第２の複数のサブキャリアは、フェムトセル・ノードと共有された帯域幅内に含まれており、第２の複数のサブキャリア信号によって伝送された第２の複数の変調シンボルに対して異なるように、第１の複数のサブキャリア信号によって伝送される第１の複数の変調シンボルを重み付けるように構成された信号電力判定部を含む。
【００４１】
別の態様では、コンピュータに対して、マクロセル・ノードから、第１の複数のサブキャリア信号を受信させ、マクロセル・ノードから、第２の複数のサブキャリア信号を受信させ、ここで、第２の複数のサブキャリアは、フェムトセル・ノードと共有された帯域幅内に含まれており、第２の複数のサブキャリア信号によって伝送された第２の複数の変調シンボルに対して異なるように、第１の複数のサブキャリア信号によって伝送される第１の複数の変調シンボルを重み付けさせるためのコードを含むコンピュータ読取可能媒体を備えるコンピュータ・プログラム製品。
【００４２】
本明細書における記載では、比較的大きな領域にわたって有効通信範囲を提供するノードは、マクロ・ノードと称されうる。一方、比較的小さな領域（例えば、住宅または事務所）に対して有効通信範囲を提供するノードは、フェムト・ノードと称されうる。同様に、比較的大きな領域をカバーするセルは、マクロセルと称されうる一方、比較的小さな領域をカバーするセルは、フェムトセルと称されうる。
【００４３】
本明細書における実施形態は、一般に、フェムトセルおよびフェムト・ノードのコンテキストで記載されている一方、本明細書における教示は、その他のタイプの有効通信範囲領域に関連付けられたノードに適用可能であることが認識されるべきである。例えば、ピコノードは、マクロ・エリアよりも小さいが、フェムト・エリアよりも大きな領域にわたって有効通信範囲（例えば、商業ビルディングまたは同様な領域内の有効通信範囲）を提供する。
【００４４】
さらに、さまざまなアプリケーションでは、マクロ・ノード、フェムト・ノード、あるいはその他のアクセス・ポイント・タイプのノードを称するためにその他の用語が使用されうる。例えば、マクロ・ノードは、アクセス・ノード、基地局、アクセス・ポイント、ｅノードＢ、マクロセル等として構成されうるか、称されうる。さらに、フェムト・ノードは、ホーム・ノードＢ、ホームｅノードＢ、アクセス・ポイント基地局、フェムトセル等として構成されうるか、称されうる。いくつかの実施では、ノードは、１または複数のセクタまたはセクタに関連付けられうる（例えば、分割されうる）。マクロ・ノード、フェムト・ノード、あるいはピコノードに関連付けられたセルまたはセクタは、マクロセル、フェムトセル、またはピコセルとそれぞれ称されうる。いくつかの実施では、おのおののセルがさらに、１または複数のセクタに関連付けられうる（分割されうる）。
【００４５】
さまざま実施形態では、本明細書に記載された技術および装置は、例えば、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングル・キャリアＦＤＭＡ（ＳＣ−ＦＤＭＡ）ネットワークのみならず、その他の通信ネットワークのような無線通信ネットワークのために使用される。本明細書で記述されるように、「ネットワーク」、および「システム」という用語は、交換可能に使用されうる。
【００４６】
ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（ＷＣＤＭＡ（登録商標））および低チップ・レート（ＬＣＲ）を含んでいる。ｃｄｍａ２０００は、ＩＳ−２０００規格、ＩＳ−９５規格、およびＩＳ−８５６規格をカバーする。ＴＤＭＡネットワークは、例えばグローバル・システム・フォー・モバイル通信（ＧＳＭ（登録商標））のようなラジオ技術を実現することができる。
【００４７】
ＯＦＤＭＡネットワークは、例えば、イボルブドＵＴＲＡ（Ｅ−ＵＴＲＡ）、ＩＥＥＥ８０２．１１、ＩＥＥＥ８０２．１６、ＩＥＥＥ８０２．２０、フラッシュ−ＯＦＤＭ（登録商標）等のようなラジオ技術を実現する。ＵＴＲＡ、Ｅ−ＵＴＲＡ、およびＧＳＭは、ユニバーサル・モバイル・テレコミュニケーション・システム（ＵＭＴＳ）の一部である。特に、ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織から提供された文書に記載されており、ｃｄｍａ２０００は、「第３世代パートナシップ計画２」（３ＧＰＰ２）と命名された組織からの文書に記載されている。これらさまざまなラジオ技術および規格は、当該技術分野において知られているか、開発中である。
【００４８】
明確にするために、これら装置および技術のある態様は、以下において、ＬＴＥについて記載されており、ＬＴＥ用語が以下の説明の多くで使用される。しかしながら、記述および関連付けられたアプリケーションは、ＬＴＥアプリケーションに限定されるようには意図されていない。したがって、本明細書で記載された装置および方法は、その他さまざまな通信システムおよびアプリケーションに適用されうることが、当業者に明らかになるであろう。
【００４９】
例えば、ＬＴＥダウンリンクで使用されるように、複数の直交サブキャリアを用いる直交周波数分割多元接続（ＯＦＤＭＡ）は、１つの興味のある通信技術である。例えばＬＴＥアップリンクで使用され、シングル・キャリア変調および周波数領域等値化を用いるシングル・キャリア周波数分割多元接続（ＳＣ−ＦＤＭＡ）は、興味のある別の無線通信技術である。ＳＣ−ＦＤＭＡ実施は、ＯＦＤＭＡシステムと同様のパフォーマンスを有し、本質的に全体的に同等の複雑さを有する。しかしながら、ＳＣ−ＦＤＭＡ信号は、その固有のシングル・キャリア構造のために、より低い平均ピーク対電力比（ＰＡＰＲ）を有する。その結果、ＳＣ−ＦＤＭＡは、送信電力効率に関して、より低いＰＡＰＲがモバイル端末に大いに有益となるアップリンク通信において特に、最近、大きな注目を集めた。ＳＣ−ＦＤＭＡを用いることは、現在、３ＧＰＰロング・ターム・イボリューション（ＬＴＥ）またはＥ−ＵＴＲＡにおけるアップリンク多元接続スキームのための動作前提となっている。
【００５０】
無線通信システムにおける論理チャネルは、制御チャネルおよびトラフィック・チャネルに分類されうる。論理制御チャネルは、システム制御情報をブロードキャストするためのダウンリンク（ＤＬ）チャネルであるブロードキャスト制御チャネル（ＢＣＣＨ）と、ページング情報を転送するＤＬチャネルであるページング制御チャネル（ＰＣＣＨ）と、１またはいくつかのＭＴＣＨのためのマルチメディア・ブロードキャストおよびマルチキャスト・サービス（ＭＢＭＳ）スケジューリングおよび制御情報を送信するために使用されるポイント・トゥ・マルチポイントＤＬチャネルであるマルチキャスト制御チャネル（ＭＣＣＨ）とを備えうる。一般に、ラジオ・リソース制御（ＲＲＣ）接続を確立した後、このチャネルは、ＭＢＭＳを受信するＵＥによってのみ使用される。専用制御チャネル（ＤＣＣＨ）は、専用制御情報を送信するポイント・トゥ・ポイント双方向チャネルであり、ＲＲＣ接続を有するＵＥによって使用される。
【００５１】
論理トラフィック・チャネルは、ユーザ情報の転送のために１つのＵＥに特化されたポイント・トゥ・ポイント双方向チャネルである専用トラフィック・チャネル（ＤＴＣＨ）と、トラフィック・データを送信するためのポイント・トゥ・マルチポイントＤＬチャネルのためのマルチキャスト・トラフィック・チャネル（ＭＴＣＨ）とを備える。
【００５２】
伝送チャネルは、ダウンリンク（ＤＬ）とアップリンク（ＵＬ）に分類される。ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を備える。ＰＣＨは、（ＤＲＸサイクルが、ネットワークによってＵＥへ示される場合における）ＵＥの節電、および、セル全体にわたるブロードキャストをサポートするために使用され、他の制御／トラフィック・チャネルのために使用されうるＰＨＹリソースにマップされる。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを備えうる。ＰＨＹチャネルは、ＤＬチャネルおよびＵＬチャネルのセットを備えうる。
【００５３】
さらに、ＤＬ  ＰＨＹチャネルは、以下を備える。  
共通パイロット・チャネル（ＣＰＩＣＨ）、  
同期チャネル（ＳＣＨ）、  
共通制御チャネル（ＣＣＣＨ）、  
共有ＤＬ制御チャネル（ＳＤＣＣＨ）、  
マルチキャスト制御チャネル（ＭＣＣＨ）、  
共有ＵＬ割当チャネル（ＳＵＡＣＨ）、  
アクノレッジメント・チャネル（ＡＣＫＣＨ）、  
ＤＬ物理共有データ・チャネル（ＤＬ−ＰＳＤＣＨ）、  
ＵＬ電力制御チャネル（ＵＰＣＣＨ）、  
ページング・インジケータ・チャネル（ＰＩＣＨ）、  
負荷インジケータ・チャネル（ＬＩＣＨ）。
【００５４】
ＵＬ  ＰＨＹチャネルは、以下を備える。  
物理ランダム・アクセス・チャネル（ＰＲＡＣＨ）、  
チャネル品質インジケータ・チャネル（ＣＱＩＣＨ）、  
アクノレッジメント・チャネル（ＡＣＫＣＨ）、  
アンテナ・サブセット・インジケータ・チャネル（ＡＳＩＣＨ）、  
共有要求チャネル（ＳＲＥＱＣＨ）、  
ＵＬ物理共有データ・チャネル（ＵＬ−ＰＳＤＣＨ）、  
ブロードキャスト・パイロット・チャネル（ＢＰＩＣＨ）。
【００５５】
様々な実施形態の説明の目的のために、次の用語および略語が本明細書で使用されうる。  
３Ｇ：無線セルラ規格の第３世代、  
４Ｇ：無線セルラ規格の第４世代、  
ＡＭ：アクノレッジ・モード、  
ＡＭＤ：アクノレッジ・モード・データ、  
ＡＲＱ：自動反復要求、  
ＢＣＣＨ：ブロードキャスト制御チャネル、  
ＢＣＨ：ブロードキャスト・チャネル、  
Ｃ−：制御−、  
ＣＣＣＨ：共通制御チャネル、  
ＣＣＨ：制御チャネル、  
ＣＣＴｒＣＨ：符号化された合成伝送チャネル、  
ＣＰ：サイクリック・プレフィクス、  
ＣＲＣ：巡回冗長検査、  
ＣＴＣＨ：共通トラフィック・チャネル、  
ＤＣＣＨ：専用制御チャネル、  
ＤＣＨ：専用チャンネル、  
ＤＬ：ダウンリンク、  
ＤＳＣＨ：ダウンリンク共有チャネル、  
ＤＴＣＨ：専用トラフィック・チャネル、  
ＦＡＣＨ：順方向リンク・アクセス・チャンネル、
ＦＤＤ：周波数分割デュプレクス、  
Ｌ１：レイヤ１（物理レイヤ）、  
Ｌ２：レイヤ２（データ・リンク・レイヤ）、  
Ｌ３：レイヤ３（ネットワーク・レイヤ）、  
ＬＩ：長さインジケータ、  
ＬＳＢ：最下位ビット、  
ＭＡＣ：媒体アクセス制御、  
ＭＢＭＳ：マルチメディア・ブロードキャスト・マルチキャスト・サービス、  
ＭＣＣＨ：ＭＢＭＳポイント・トゥ・マルチポイント制御チャネル、  
ＭＲＷ：動き受信ウィンドウ、  
ＭＳＢ：最上位ビット、  
ＭＳＣＨ：ＭＢＭＳポイント・トゥ・マルチポイント・スケジューリング・チャネル、  
ＭＴＣＨ：ＭＢＭＳポイント・トゥ・マルチポイント・トラフィック・チャネル、      ＰＣＣＨ：ページング制御チャネル、  
ＰＣＨ：ページング・チャネル、  
ＰＤＵ：プロトコル・データ・ユニット、  
ＰＨＹ：物理レイヤ、  
ＰｈｙＣＨ：物理チャネル、  
ＲＡＣＨ：ランダム・アクセス・チャネル、  
ＲＬＣ：無線リンク制御、  
ＲＲＣ：ラジオ・リソース制御、  
ＳＡＰ：サービス・アクセス・ポイント、  
ＳＤＵ：サービス・データ・ユニット、  
ＳＨＣＣＨ：共有チャネル制御チャネル、  
ＳＮ：シーケンス番号、  
ＳＵＦＩ：スーパ・フィールド、  
ＴＣＨ：トラフィック・チャネル、  
ＴＤＤ：時分割デュプレクス、  
ＴＦＩ：伝送フォーマット・インジケータ、  
ＴＭ：透過モード、  
ＴＭＤ：透過モード・データ、  
ＴＴＩ：送信時間インタバル、  
Ｕ−：ユーザ−、  
ＵＥ：ユーザ機器、  
ＵＬ：アップリンク、  
ＵＭ：非アクノレッジ・モード、  
ＵＭＤ：非アクノレッジ・モード・データ、  
ＵＭＴＳ：ユニバーサル・モバイル通信システム、  
ＵＴＲＡ：ＵＭＴＳ地上ラジオ・アクセス、  
ＵＴＲＡＮ：ＵＭＴＳ地上ラジオ・アクセス・ネットワーク、  
ＭＢＳＦＮ：マルチキャスト・ブロードキャスト単一周波数ネットワーク、  
ＭＣＥ：ＭＢＭＳ調整エンティティ、  
ＭＣＨ：マルチキャスト・チャネル、  
ＤＬ−ＳＣＨ：ダウンリンク共有チャネル、  
ＭＳＣＨ：ＭＢＭＳ制御チャネル、  
ＰＤＣＣＨ：物理的ダウンリンク制御チャネル、  
ＰＤＳＣＨ：物理ダウンリンク共有チャネル。
【００５６】
ＭＩＭＯシステムはデータ送信のために、複数（ＮＴ個）の送信アンテナと複数（ＮＲ個）の受信アンテナとを適用する。ＮＴ個の送信アンテナおよびＮＲ個の受信アンテナによって形成されたＭＩＭＯチャネルは、空間チャネルとも称されるＮＳ個の独立したチャネルへ分解されうる。線形受信機が使用される場合、最大空間多重化ＮＳは、ｍｉｎ（ＮＴ、ＮＲ）である。ここで、ＮＳ個の独立チャネルのおのおのは、ディメンションに相当する。これは、スペクトル効率のＮＳ増加を提供する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与える。ランクに関し、特別のディメンションが説明されうる。
【００５７】
ＭＩＭＯシステムは、時分割デュプレクス（ＴＤＤ）実施および周波数分割デュプレクス（ＦＤＤ）実施をサポートしうる。ＴＤＤシステムでは、相互原理によって、逆方向リンク・チャネルから、順方向リンク・チャネルの推定が可能となるように、順方向リンク送信と逆方向リンク送信とが同じ周波数領域を使用する。これによって、アクセス・ポイントにおいて複数のアンテナが利用可能である場合、アクセス・ポイントは、順方向リンクで送信ビーム・フォーミング・ゲインを抽出できるようになる。
【００５８】
「典型的である」という単語は、本明細書において、「例、事例、あるいは実例として役立つ」ことを意味するために使用される。本明細書で「典型的である」と記載されたあらゆる実施形態は、他の実施形態によりも好適であるとか有利であるとか解釈される必要は必ずしもない。
【００５９】
多元接続無線通信システムを例示する図１に注目されたい。様々な実施では、図１のＨｅＮＢまたはＡＰ１００のようなアクセス・ポイントは、アクセス端末と通信するために使用される固定局でありうる。そして、アクセス・ポイント、ｅノードＢ、ＨｅＮＢ、またはその他の用語で称されうる。図１のＵＥまたはＡＴ１００のようなユーザ機器またはアクセス端末は、アクセス端末、ユーザ機器（ＵＥ）、無線通信デバイス、端末、アクセス端末、または、その他の用語で称されうる。図１に示すように、イボルブド・ノードＢ（ｅノードＢ）またはアクセス・ポイント（ＡＰ）１００は、１つのグループはアンテナ１０４、１０６を含み、別のグループはアンテナ１０８、１１０を含み、さらに別のグループはアンテナ１１２、１１４を含む複数のアンテナ・グループを含みうる。図１では、２本のアンテナだけが各アンテナ・グループのために示されている。しかしながら、さまざまな実施形態では、２より多い、または、２より少ないアンテナも、おのおののグループのために利用されうる。
【００６０】
ＵＥまたはアクセス端末（ＡＴ）１１６は、アンテナ１１２、１１４と通信している。ここで、アンテナ１１２、１１４は、順方向リンク１２０でＵＥ１１６に情報を送信し、逆方向リンク１１８でＵＥ１１６から情報を受信する。ＵＥ１２２は、アンテナ１０６、１０８と通信している。ここで、アンテナ１０６、１０８は、順方向リンク１２６でＵＥ１２２に情報を送信し、逆方向リンク１２４でＵＥ１２２から情報を受信する。周波数分割デュプレクス（ＦＤＤ）システムでは、通信リンク１１８、１２０、１２４、１２６は、ＨｅＮＢ１００とＵＥ１１６、１２２との間の通信のために、異なる周波数を利用しうる。例えば、順方向リンク１２０は、逆方向リンク１１８によって使用されるものとは異なる周波数を使用することができる。同様に、リンク１２４、１２６は、互いに異なる、および／または、リンク１１８、１２０とは異なる周波数を使用しうる。
【００６１】
通信するように設計されたエリアおよび／またはアンテナのおのおののグループは、ＨｅＮＢまたはＡＰのセクタと称される。例示された実施形態では、アンテナ・グループはおのおの、ＨｅＮＢ１００によってカバーされたエリアの、指定されたセクタ内のアクセス端末と通信するように設計および構成される。例えば、アンテナ１１２、１１４を含むアンテナ・グループは、図１のセクタ１として指定されるセクタに割り当てられる一方、アンテナ１０６、１０８を含むアンテナ・グループは、セクタ２に割り当てられる。
【００６２】
順方向リンク１２０、１２６による通信では、ＨｅＮＢ１００の送信アンテナは、その他のＵＥ（図示せず）のみならず、別のＵＥ１１６、１２２のための順方向リンクの信号対雑音比を改善するために、ビームフォーミングを利用するように構成されうる。また、典型的な実施では、有効通信範囲領域にわたってランダムに散在するＵＥへ送信するためにビームフォーミングを用いるＨｅＮＢまたはＡＰは、すべてのＵＥまたはＡＴに対して単一のアンテナによって送信しているＨｅＮＢまたはＡＰよりも、近隣セル内のＵＥまたはアクセス端末に対して少ない干渉しかもたらさない。典型的な実施形態では、ＨｅＮＢ１００およびＵＥ２５０は、第４世代すなわち４Ｇシグナリングと、例えばＬＴＥ実施のために定義されたような関連データを処理するように構成されている。
【００６３】
ＭＩＭＯシステム２００の例において基地局または送信機ノード２１０（すなわち、ＡＰ、ｅＮＢ、またはＨｅＮＢ）および受信機システムまたはユーザ端末２５０（すなわち、ＡＴまたはＵＥ）の実施形態のブロック図を例示している図２に注目されたい。これらのシステムは、図１のＨｅＮＢ１００、ＵＥ１１６、１２２に相当しうる。
【００６４】
動作中、送信機システム２１０では、多くのデータ・ストリームのトラフィック・データが、データ・ソース２１２から送信（ＴＸ）データ・プロセッサ２１４に提供され、ここで処理され、１または複数の受信機システム２５０へ送信される。
【００６５】
１つの実施形態では、おのおののデータ・ストリームは、送信システム２１０のそれぞれの送信機サブ・システム（送信機２２４１−２２４ＮＴとして示される）によって処理され送信される。ＴＸデータ・プロセッサ２１４は、符号化されたデータを提供するために、おのおののデータ・ストリームのトラフィック・データを受信し、フォーマットし、このデータ・ストリームのために選択された特定の符号化スキームに基づいて符号化し、インタリーブする。特に、送信システム２１０は、特定の基準信号および基準信号パターンを決定し、選択されたパターンに基準信号を含む送信信号を提供するように構成されうる。
【００６６】
おのおののデータ・ストリームの符号化されたデータは、ＯＦＤＭ技術を用いてパイロット・データと多重化されうる。パイロット・データは一般に、既知の手法で処理される既知のデータ・パターンであり、チャネル応答を推定するために受信機システムにおいて使用されうる。例えば、パイロット・データは、基準信号を含みうる。パイロット・データは、図２に示されるようなＴＸデータ・プロセッサ２１４に提供され、符号化されたデータと共に多重化されうる。データ・ストリームのおのおのの多重化されたパイロットおよび符号化されたデータは、その後、変調シンボルを提供するために、このデータ・ストリームのために選択された特定の変調スキーム（例えば、ＢＰＳＫ、ＱＳＰＫ、Ｍ−ＰＳＫ、Ｍ−ＱＡＭ等）に基づいて変調（すなわち、シンボル・マップ）されうる。各データ・ストリームのデータ・レート、符号化および変調は、メモリ２３２、または、その他のメモリ、あるいは、送信システム２５０の（図示しない）命令格納媒体に格納された命令群に基づいて、プロセッサ２３０によって実行される命令群によって決定されうる。さらに、プロセッサ２３０は、以下にさらに説明されるように、隣接チャネルの特性に基づいて、電力レベル、および、帯域幅決定、および／または、調節を実行しうる。これは、メモリ２３２、および／または、その他のメモリ、または、コンピュータ・プログラム記憶デバイスに格納された命令群と連携して実行されうる。あるいは、以下にさらに説明されるように、電力および帯域幅処理は、ノード２１０のその他の構成要素（図２に図示せず）で実行されうる。これらの構成要素および関連する機能は、本明細書では、判定部または判定モジュールとしても称されうる。
【００６７】
すべてのデータ・ストリームの変調シンボルは、その後、ＴＸ  ＭＩＭＯプロセッサ２２０に提供される。ＴＸ  ＭＩＭＯプロセッサ２２０は、この変調シンボルを（例えば、ＯＦＤＭ実施のために）さらに処理する。ＴＸ  ＭＩＭＯプロセッサ２２０は、その後、ＮＴ個の送信機（ＴＭＴＲ）２２２１乃至２２２ＮＴへ、ＮＴ個の変調シンボル・ストリームを提供する。さまざまなシンボルが、送信のために、関連付けられたＲＢにマップされうる。
【００６８】
ある実施形態では、ＴＸ  ＭＩＭＯプロセッサ２２０は、データ・ストリームのシンボル、および、そのシンボルが送信されているアンテナへ、ビームフォーミング重みを適用しうる。これは、基準信号と連携して、あるいは、基準信号によって提供されるチャネル推定情報のような情報を用いて実行されうる。
【００６９】
おのおのの送信機サブ・システム２２２１乃至２２２ＮＴは、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機２２２１乃至２２２ＮＴからのＮＴ個の変調信号は、その後、ＮＴ個のアンテナ２２４１乃至２２４ＮＴからそれぞれ送信される。受信信号処理は、受信信号メトリックに基づいて受信信号電力レベルを判定する信号電力判定モジュールとして構成されたプロセッサ２３０、２４２、メモリ２３２、および／または（図示しない）その他の構成要素のようなＨｅＮＢ２１０の構成要素によって実行されうる。さらに、送信出力電力制御が、ＨｅＮＢ２１０で実行されうる。これは、ＨｅＮＢ２１０の出力電力レベルを設定する送信出力電力コントローラとして構成されたプロセッサ２２０、２３０、メモリ２３２、および／または（図示しない）その他の構成要素を用いて実行されうる。
【００７０】
受信機システム２５０では、送信された変調信号がＮＲ個のアンテナ２５２１乃至２５２ＮＲによって受信され、アンテナ２５２１乃至２５２ＮＲのおのおのからの受信信号が、それぞれの受信機（ＲＣＶＲ）２５４１乃至２５２ＮＲへ提供される。おのおのの受信機２５４１乃至２５４ＮＲは、それぞれの受信信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００７１】
ＲＸデータ・プロセッサ２６０は、ＮＴ個の「検出された」シンボル・ストリームを提供するために、ＮＲ個の受信機２５４１乃至２５２ＮＲからＮＲ個のシンボル・ストリームを受信し、受信されたこれらシンボル・ストリームを、特定の受信機処理技術に基づいて処理する。ＲＸデータ・プロセッサ２６０は、その後、検出されたおのおののシンボル・ストリームを復調し、デインタリーブし、復号して、そのデータ・ストリームのためのトラフィック・データを復元する。ＲＸデータ・プロセッサ２６０による処理は、一般に、送信機システム２１０におけるＴＸ  ＭＩＭＯプロセッサ２２０およびＴＸデータ・プロセッサ２１４によって実行されるものと相補的である。プロセッサ２７０は、以下にさらに説明されるように、使用する事前符号化行列を定期的に決定しうる。プロセッサ２７０は、その後、行列インデクス部およびランク値部を備える逆方向リンク・メッセージを定式化することができる。さまざまな実施形態において、これら逆方向リンク・メッセージは、通信リンクおよび／または受信データ・ストリームに関する様々なタイプの情報を含みうる。その後、逆方向リンク・メッセージは、多くのデータ・ストリームのトラフィック・データをデータ・ソース２３６から受け取るＴＸデータ・プロセッサ２３８によって処理され、変調器２８０によって変調され、送信機２５４１乃至２５４ＮＲによって調整され、基地局２１０へ送り戻される。以下にさらに説明されるように、（ＨｅＮＢ、ＵＥのいずれかまたは両方において）送信信号電力および／または帯域幅が調節されうる。
【００７２】
送信機システム２１０では、受信機システム２５０からの変調された信号が、アンテナ２２４によって受信され、受信機２２２によって調整され、復調器２４０によって復調され、ＲＸデータ・プロセッサ２４２によって処理されて、受信機システム２５０によって送信された逆方向リンク・メッセージが抽出される。さらに、プロセッサ２３０は、ビームフォーミング重みを決定するためにどの事前符号化行列を使用するかを決定するために、この抽出されたメッセージを処理する。さらに、送信機システム２１０は、例えば第３世代信号すなわち３Ｇ信号のような追加信号と、例えばＷＣＤＭＡ信号のような関連データを受信し、復調し、処理するために、プロセッサ２３０、メモリ２３２、受信機２２２、復調器２４０、ＲＸデータ・プロセッサ２４２、および／または、その他の構成要素（図示せず）で実施されうる機能を含みうる。
【００７３】
通信ネットワークにおいてフェムト・ノードがどのようにして展開されるかの簡単な例が、図３および図４を参照して記載される。
【００７４】
図３は、多くのユーザをサポートするように構成された典型的な無線通信システム３００を例示しており、ここでは、開示されたさまざまな実施形態および態様が実現される。図３に示すように、一例として、システム３００は、例えばマクロセル３０２ａ−３０２ｇのような複数のセル３０２のための通信を提供する。ここで、おのおののセルは、例えばＨｅＮＢ３０４ａ−３０４ｇのような対応するＨｅＮＢまたはアクセス・ポイントすなわちＡＰ３０４によってサービス提供される。おのおののマクロセルは、（図示しない）１または複数のセクタにさらに分割されうる。図３にさらに示すように、ユーザ機器（ＵＥ）、移動局（ＭＳ）、または端末デバイスとしても置換可能に知られているＡＴ３０６ａ−３０６ｌを含むＡＴデバイス３０６またはさまざまなＵＥは、システム内にわたるさまざまな位置において分散されうる。ＡＴまたはＵＥ３０６はおのおのの、例えば、ＵＥまたはＡＴがアクティブであるか、および、ソフト・ハンドオフにあるかに依存して、所与の瞬間において、順方向リンク（ＦＬ）および／または逆方向リンク（ＲＬ）によって、１または複数のＡＰまたはＨｅＮＢ３０４と通信することができる。無線通信システム３００は、大規模な地理的領域にわたってサービスを提供しうる。例えば、マクロセル３０２ａ−３０２ｇは、過疎環境における近隣または数平方マイル内の数ブロックのみをカバーしうる。いくつかの実施では、ＡＴまたはＵＥから、フェムトセル・ノード、マクロセル・ノード、ピコセル・ノード、マイクロセル・ノード、またはその他のネットワーク・ノードへ信号をリレーまたは転送するために、（図示しない）リレー構成要素もまた使用されうる。典型的な実施では、フェムトセルは、図３に示すようなマクロセルまたはその他のセルに隣接する、あるいは、オーバラップする領域で動作しうる。
【００７５】
ネットワーク環境内でのフェムトセルの展開を可能にする典型的な通信システムを例示する図４に注目されたい。図４に示すように、システム４００は、多元接続ポイント基地局、あるいは、フェムト・ノード、ホーム・ノードＢユニット（ＨＮＢ）、または、ホーム・イボルブド・ノードＢユニット（ＨｅＮＢ）を含む。例えば、図４に示すように、１または複数のＨｅＮＢ４１０が、例えば、１または複数のユーザの住宅または事務所４３０のような対応する小規模ネットワーク環境内に搭載され、関連する、あるいは、外部のＵＥ４２０またはその他の移動局にサービス提供するように構成されうる。おのおののＨｅＮＢ４１０はさらに、（図示しない）ＤＳＬルータや、（図示しない）ケーブル・モデムや、または（図示しない）その他の接続によって、インターネット４４０およびモバイル・オペレータ・コア・ネットワーク４５０に接続されうる。
【００７６】
さらに、おのおののＨｅＮＢ４１０が接続され、さらに、例えばインターネット４４０のような広域ネットワークによって、（「コア・ネットワーク」とも称される）マクロ・モバイル・オペレータ・コア・ネットワーク４５０を含む、インターネット上の任意のノードと通信するように構成されうる。本明細書においてキャリアまたは通信プロバイダとして示されているモバイル・オペレータは、例えば、動作、管理、およびメンテナンス（ＯＡＭ）設備４７０におけるＨＥＭＳのような追加の施設およびリソースを有しうる。
【００７７】
ＨｅＮＢ４１０はまた、図３に示すようなマクロセル３０２ａ−ｇでありうる１または複数の隣接マクロセル４６０に近接しうる。
【００７８】
ホームｅノードＢ（ＨｅＮＢ）またはフェムト・ノードは、例えば、住宅、事務所、ビルディング、またはその他の領域のような位置へとネットワーク限界を拡大することによって、ＬＴＥネットワークにおける有効通信範囲および容量を改善するための役に立つメカニズムである。ＨｅＮＢは、小規模領域における有効通信範囲および／または容量を生成するために、および、屋内有効通信範囲を提供するために特に役立ち、ＨｅＮＢは、オープンな加入者グループ、およびクローズされた加入者グループをサポートしうる。しかしながら、ＨｅＮＢは、他のネットワークとともに共有される環境内で動作しうる。さらに、ＨｅＮＢは、一般にはキャリアによる詳細な計画と連携して搭載されているマクロセルのようなその他のセルにおける展開ほどは制御されない方式で、フェムトセルにおいて展開されうる。
【００７９】
例えば、図５は、複数のノードと、対応するセル、およびＡＴまたはＵＥ５２０ａ−５２０ｅを含む通信システムの１つの構成に関連付けられた干渉環境の例を図示する。図５に示されるように、ＨｅＮＢ５１０は、他のＨｅＮＢ、ＨＮＢ、マクロセル５３０、および／または、他のセルまたはネットワーク、および、関連するネットワーク・デバイスに隣接しうる。典型的な構成では、ＨｅＮＢは、少なくとも１つのマクロセル・ネットワークに隣接するであろう。しかしながら、ＨｅＮＢは、無計画的な方式で住宅または事務所に搭載されうる。ＨｅＮＢは一般に、所有されたライセンス済スペクトルで実施されるか、あるいは、特定のキャリアによってライセンス／制御される。ＨｅＮＢは、自身のスペクトルを個別に有しているか、使用しているスペクトルをライセンスした１または複数のその他のキャリアによって動作されるマクロセル・ネットワークに隣接して動作しうる。これは、ネットワークへの干渉を受け入れる際に最小の能力または関心しかもたらさない。しかしながら、これらのさまざまな隣接ネットワークは、互いに干渉を生成するように相互作用しうる。本明細書で使用されように、用語「隣接する」は、互いに物理的に近いネットワーク、ノード、セル等を称し、全体的または部分的に、有効通信範囲または干渉においてオーバラップしているか、あるいは、互いに近接しているか、互いにオーバラップしている。
【００８０】
定義および動作において、ＨｅＮＢは、マクロｅＮＢと、既知の相違点を有する。例えば、ＨｅＮＢは一般に、より低い電力を有しており、コンシューマ・バックホールを使用し、無計画方式で自律的に展開され、クローズド加入者グループ（ＣＳＧ）を活用することによって、いくつかのＵＥがアクセスすることを制限する。ＨｅＮＢおよびマクロｅＮＢは、その他の相違点をも有しうる。さらに、ラジオ伝搬条件が、マクロｅＮＢのものとは異なりうる。
【００８１】
いくつかのそのような相違点は、ホーム・ノードＢ（ＨＮＢ）のコンテキストで以前に説明されており、これら問題に対処するために、いくつかの技術が提案された。これら技術のうちのいくつかは、ＨｅＮＢにも同様に適用可能でありうる。しかしながら、ＨｅＮＢの場合、別の、および／または、追加の干渉緩和の実現に利用されうる、ＨＮＢからの相違点がある。
【００８２】
１つの態様では、ＨｅＮＢにおいて使用されるシグナリングの性質が異なる。ＯＦＤＭＡでは、複数のサブキャリアが使用される。これは、隣接チャネル干渉を緩和するために、電力レベルの調節、および／または、サブ・キャリア・チャネル選択を可能にする。これを行うために、例えばｅＮＢまたはＨｅＮＢのような、無線ネットワークにおけるノードは、１または複数の隣接チャネルにおける受信信号電力レベルを感知し、これに応じて、ノードによって送信される、および／または、ノードと通信しているＵＥによって送信される出力電力レベルを調節しうる。隣接チャネルは、（例えば、ＵＴＲＡ、ｃｄｍａ２０００、ＧＳＭ等のような）異なるタイプのネットワーク（単数または複数）で動作しうる。そして、いくつかの実施では、調節は、特定のネットワーク・タイプ（単数または複数）のみならず、電力レベルおよび／または帯域幅に基づきうる。特に、１つの実施形態では、ＨｅＮＢは、隣接したチャネル３Ｇネットワーク・チャネルと４Ｇネットワーク・チャネルとの両方を測定し、これにしたがって電力レベルを設定するように構成されうる。典型的な実施では、ＨｅＮＢは、例えばＷＣＤＭＡまたはその他の３Ｇ受信機のような３Ｇ受信機を含んでいる。
【００８３】
本明細書に記載された実施形態は、一般に３ＧＰＰ用語に関連して説明されているが、本明細書に記載されたこれら実施形態は、３ＧＰＰ（リリース９９、リリース５、リリース６、リリース７、リリース８、リリース９等）技術のみならず、３ＧＰＰ２（１×ＲＴＴ、１×ＥＶ−ＤＯ  リリース０、改訂Ａ、改訂Ｂ等）技術、およびその他の周知および／または関連する技術にも適用されることが理解されるべきである。本明細書に記載されたこのような実施形態では、（図４に示すような）例えばＨＮＢ４１０のようなＨＮＢの所有者は、マクロ・モバイル・オペレータ・コア・ネットワーク４５０によって提供された例えば３Ｇモバイル・サービスのようなモバイル・サービスを申し込み、ＵＥ４２０は、マクロ・セルラ環境と、ＨＮＢベースの小規模有効通信範囲ネットワーク環境との両方において動作することができる。したがって、ＨＮＢ４１０は、任意の既存のＵＥ４２０との下位互換性のために適応されうる。
【００８４】
いくつかの実施では、システムは、時分割デュプレクス（ＴＤＤ）を利用しうる。ＴＤＤの場合、アップリンクとダウンリンクとが同じ周波数スペクトルまたはチャネルを共有し、ダウンリンク送信およびアップリンク送信が、同じ周波数スペクトルで送信される。ダウンリンク・チャネル応答は、このように、アップリンク・チャネル応答と相関付けられうる。相互原理によって、ダウンリンク・チャネルは、アップリンクによって送られた送信に基づいて推定されるようになる。これらアップリンク送信は、基準信号であるか、または（復調後に基準シンボルとして使用されうる）アップリンク制御チャネルでありうる。アップリンク送信によって、複数のアンテナによる空間選択チャネルの推定が可能となる。
【００８５】
ＬＴＥ実施では、直交周波数分割多重化（ＯＦＤＭ）が、ダウンリンク、すなわち、基地局、アクセス・ポイント、またはｅノードＢからアクセス端末またはＵＥへのために使用される。ＯＦＤＭを使用することは、スペクトル柔軟性に対するＬＴＥ要件を満たし、高いピーク・レートによって、非常に広いキャリアのためのコスト効率の良い解決策を可能とする、良好に確立された技術である。例えば、ＯＦＤＭは、ＩＥＥＥ８０２．１１ａ／ｇ、８０２．１６、ＨＩＰＥＲＬＡＮ−２、ＤＶＢ、およびＤＡＢのような規格で使用される。
【００８６】
（本明細書では、リソース・ブロックとして、または、簡略化して「ＲＢ」としても称される）時間周波数物理リソース・ブロックは、伝送キャリア（例えば、サブ・キャリア）のグループとして、あるいは、データを伝送するために割り当てられたインタバルとして、ＯＦＤＭシステムにおいて定義されうる。ＲＢは、時間および周波数期間について定義される。ＬＴＥ実施におけるＲＢの例が、図６に図示される。当該技術で周知なように、リソース・ブロックは、時間−周波数リソース要素から構成される（本明細書では、リソース要素として、または、簡略化して「ＲＥ」とも称される）。これは、スロット内の時間および周波数のインデクスによって定義されうる。ＬＴＥ  ＲＢおよびＲＥのさらなる詳細は、３ＧＰＰ  ＴＳ  ３６．２１１に記述されている。ＬＴＥシステムでは、ダウンリンクは、周波数において、例えば１５ｋＨｚずつ間隔を置かれた各リソース・ブロック内に多くの直交サブキャリアを含んでいる。リソース・ブロック（ＲＢ）６２０は、タイム・スロット内の複数のリソース要素（ＲＥ）６１０から構成される。図示する例では、タイム・スロットＴｓは、０．５ミリ秒の持続時間を有し、７つのＯＦＤＭシンボルを含んでいる。ＬＴＥは、基準信号および関連付けられたパターンを定義する。これらは、ＲＢのリソース要素に割り当てられ、パイロット信号として使用される。基準信号パターンの例は、図６に示されるようにアレイ化されたＲＥ６４０に関して示される。
【００８７】
ＲＢ６２０は、おのおのが１５ｋＨｚの帯域幅からなる１２のサブキャリアを含んでいる。これによって、合計して１８０ｋＨｚの帯域幅を有する。したがって、このＲＢの例は、１２ｘ７の構成中に、８４のＲＥを備える。パターン６４０内の基準信号は、パイロット信号として使用され、これにより、３Ｇネットワークで使用されるパイロット・シグナリングとは異なる。
【００８８】
ＵＭＴＳ  ＬＴＥは、２０ＭＨｚから１．４ＭＨｚまでスケール可能なキャリア帯域幅をサポートする。ＬＴＥでは、ＲＢは、サブキャリア帯域幅が１５ｋＨｚである場合、１２のサブキャリアとして定義され、サブキャリア帯域幅が７．５ｋＨｚである場合、２４のサブキャリアとして定義される。実施の例では、時間領域において、１０ミリ秒の長さであり、おのおのが１ミリ秒からなる１０のサブ・フレームから構成されている、定義されたラジオ・フレームが存在する。各スロットが０．５ミリ秒である場合、おのおののサブ・フレームは、２つのスロットから構成される。周波数領域におけるサブキャリア間隔は、この場合、１５ｋＨｚである。（スロットあたり）これらのサブキャリアの１２がＲＢを構成するので、この実施では、１つのリソース・ブロックは、１８０ｋＨｚである。６つのリソース・ブロックが、１．４ＭＨｚのキャリアに収まり、１００のリソース・ブロックが、２０ＭＨｚのキャリアに収まる。さまざまなＵＥに対するこれらリソースの割当は、一般に、ＨＮＢまたはＨｅＮＢにおいて実行される。
【００８９】
ダウンリンクでは、３つの主な物理チャネルが存在する。物理ダウンリンク共有チャネル（ＰＤＳＣＨ）が、データ送信のために使用され、物理マルチキャスト・チャネル（ＰＭＣＨ）が、単一周波数ネットワークを用いて、ブロードキャスト送信のために使用され、物理ブロードキャスト・チャネル（ＰＢＣＨ）が、セル内の最も重要なシステム情報を送るために使用される。ＬＴＥにおいてサポートされているＰＤＳＣＨにおける変調フォーマットは、ＱＰＳＫ、１６ＱＡＭ、および６４ＱＡＭである。
【００９０】
アップリンクでは、３つの物理チャネルが存在する。初期アクセスのために、かつ、ＵＥがアップリンク同期されていない場合にのみ、物理ランダム・アクセス・チャネル（ＰＲＡＣＨ）が使用される一方、データは、物理アップリンク共有チャネル（ＰＵＳＣＨ）で送信される。ＵＥのためにアップリンクで送信されるべきデータがない場合、物理アップリンク制御チャネル（ＰＵＣＣＨ）で制御情報が送信されるだろう。アップリンク・データ・チャネルでサポートされている変調フォーマットは、ＱＰＳＫ、１６ＱＡＭ、および６４ＱＡＭである。
【００９１】
仮想ＭＩＭＯ／空間分割多元接続（ＳＤＭＡ）が導入される場合、アップリンク方向におけるデータ・レートは、基地局におけるアンテナの数に依存して増加されうる。この技術を用いると、複数のモバイルが、同じリソースを再使用しうる。ＭＩＭＯ動作の場合、１つのユーザのデータ・スループットを高めるためのシングル・ユーザＭＩＭＯと、セル・スループットを高めるためのマルチ・ユーザＭＩＭＯとが区別される。
【００９２】
一般的な実施形態では、ＨｅＮＢは、隣接ネットワークの検出に応じて、出力電力レベルを調節する。この処理は、一般に、１または複数の隣接ネットワークを検出することと、隣接する無線ネットワークによって使用されている複数の隣接チャネルのうちの少なくとも１つのチャネルで受信された少なくとも１つの信号の電力レベルまたは電力メトリックを判定することと、ここで、隣接する無線ネットワークは、第１または第２のネットワーク・タイプであり、隣接チャネルに対する干渉を最小化するように、受信された信号電力、および／または、隣接ネットワークのタイプ（単数または複数）が判定されることに応じて、ＨｅＮＢの出力電力を調節することを含む。図７は、このような電力レベル調節を実行するための処理７００の実施形態を例示する。この処理は、例えばＨｅＮＢのようなフェムトセル・ノードにおいて、例えば図２に示すようなハードウェア要素および／またはソフトウェア要素を信号処理することによってなされうる。ノードは、電力レベル判定および処理を実行するためにＨｅＮＢ内に格納または包含されているソフトウェアを、メモリおよび／またはコンピュータ・プログラム製品内に含みうる。ステージ７１０では、例えばＨｅＮＢのようなノードが、１または複数のチャネル（一般的には複数のチャネル）で動作している１または複数の隣接ネットワークを検出する。これら隣接ネットワークは、他のフェムトセル・ネットワーク、マクロセル・ネットワーク、あるいはその他のネットワークであり、ＵＴＲＡ構成、Ｅ−ＵＴＲＡ構成、または、その他のネットワーク構成で動作しうる。７２０では、隣接チャネル（単数または複数）における電力レベルが、一般的には、判定された電力レベル・メトリックに基づいて判定されうる。電力レベルに加えて、例えば、特定のサブキャリアまたはサブ帯域を用いて、隣接チャネル周波数／帯域幅設定のみならず、（例えば、サブキャリアで伝送されるパイロット信号のような）全体的な電力レベルまたはサブキャリア電力レベルが判定され、電力レベル・メトリックにおいて使用される。ステージ７２０における処理はまた、隣接ネットワーク、または、ネットワークのタイプおよび設定を判定するための処理をも含む。これらは、同時処理および／またはその後の処理において使用されうる。
【００９３】
ステージ７３０では、ノードは、隣接チャネル（単数または複数）との干渉を低減または制限できるように、全体的な電力レベルおよび／またはサブチャネル（単数または複数）電力レベルの調節、および／または、調節の制御を行いうる。電力レベル調節は、ノードにおける送信要素と連携して行われ、および／または、ノードと通信しているＵＥまたは他の要素に提供された制御命令群によってなされうる。
【００９４】
さまざまな実施形態において、さまざまな方式で、電力調節がなされうる。例えば、出力電力は、予め定められた最大値、動的に決定された最大値、あるいは調節された最大値よりも低い平均値またはピーク値に制限されうる。いくつかの実施では、この電力レベル制限は、ステージ７２０において判定された隣接チャネル電力レベルとの関数関係に基づきうる。例えば、１つの実施では、電力レベルは、隣接チャネル電力に逆比例して減少しうる（すなわち、隣接電力レベルが高い場合、減少は小さいが、隣接電力レベルが低い場合、減少は大きい）。
【００９５】
さまざまな実施では、隣接チャネルの電力判定は、隣接チャネル信号の特定の構成要素またはサブキャリアに基づきうる。同様に、これは、隣接ネットワーク・タイプに基づきうる。例えば、受信電力は、隣接チャネル内の特定のサブキャリア、あるいは、信号に基づいて判定されうる。例えば、パイロット信号の場合、判定される電力は、パイロット信号の測定値に基づく。パイロット信号は、隣接チャネルの、専用パイロット・サブ・チャネルまたは割り当てられたパイロット・サブ・チャネルにおけるパイロット信号でありうる。例えば、ＬＴＥに関して定義されるような基準信号が、パイロット信号として使用されうる。そして、電力レベルを判定するために処理されうる。ＵＴＲＡ実施では、別のパイロット信号が使用され、これらは、隣接ネットワーク電力のメトリックおよびレベルを判定するために使用されうる。
【００９６】
いくつかの実施では、平均またはピークの電力レベル測定が、隣接チャネル信号についてなされうる。これは、例えば、隣接チャネル信号についてなされる電力密度判定でありうる。その他の電力判定もまた使用され、および／または、前述したものと組み合わされうる。例えば、１つの実施では、電力密度測定値は、ステージ７２０で使用される電力レベル・メトリックを生成するために、ピーク判定またはパイロット信号判定と組み合わされうる。
【００９７】
いくつかの実施では、受信信号電力レベル・メトリックは、リソース要素毎の基準信号受信電力（ＲＳＲＰ）に基づきうる。これは、隣接チャネルのうちの１つで送信された基準信号を、ノードにおいて測定することによって、リソース要素毎の基準信号受信電力を判定することを含む判定を伴う。さらに、ＲＳＲＰは、例えばＭＩＭＯシステムでは、複数の送信アンテナにわたるリソース要素毎とのＲＳＲＰの平均に基づきうる。
【００９８】
ＷＣＤＭＡ（ＵＴＲＡネットワーク）では、送信電力スペクトル密度（ＰＳＤ）が帯域幅にわたって一様であるので、受信される干渉もまた、（周波数選択チャネルによる変動を除いて）ほぼフラットである。しかしながら、これは、ＬＴＥの場合、ＯＦＤＭおよびＳＣ−ＦＤＭＡを用いることによって、当てはまらないことがありうる。したがって、いくつかの実施形態では、ＨｅＮＢのための干渉を緩和するために、シングル・キャリア構造において、周波数分割（ＦＤＭ）パーティショニングが使用されうる。
【００９９】
１つの実施の例として、アップリンクでは、ＨｅＮＢ  ＵＥへ割り当てられたＰＵＣＣＨリソースを適切に設定することによって、異なるＵＥの制御チャネルが直交化されうる。これがどのようにして実施されるかの例が、図８に示す処理８００に例示されている。処理８００は、開始ステップで始まる。ここでは、第１のＨｅＮＢ（あるいは、いくつかの実施では、例えばｅＮＢ等のようなその他のネットワーク要素）が設定される。第１のＨｅＮＢは、１または複数のアクティブなＵＥに接続されるか、あるいは、何れのアクティブなＵＥにも接続されない。
【０１００】
ステップ８１０では、第１のＨｅＮＢが、第２のネットワークの存在を検出する。これは、隣接している、あるいは、オーバラップしているＨｅＮＢ、ＨＮＢ、マクロセル、および／または、その他のネットワークでありうる。隣接ネットワークの検出後、ステップ８２０において、第２のネットワークで使用されているチャネル利用および電力が判定される。これは、例えば、第２のネットワーク内で動作しているＵＥのアップリンク制御チャネルを判定することによって、および／または、その他の手段によってなされうる。第２のネットワークの検出中あるいは検出後、ステップ８３０では、フェムトセルで使用されている電力レベル、および／または、使用されているチャネルが、例えば第２のネットワークの電力レベルおよび／またはチャネルまたは帯域幅利用のような第２のネットワークのパラメータに基づいて選択されうる。
【０１０１】
第２のネットワークの検出、および、そのチャネルの判定に応じて、ステップ８４０では、第２のネットワークに関して直交したアップリンク制御チャネルを提供するように、第１のＨｅＮＢで動作するＵＥに割り当てられるＰＵＣＣＨリソースが設定されうる。
【０１０２】
他のネットワークのさらなる追加（および／または、削除、電力レベルの変化、および／または、隣接ネットワークのチャネライゼーション）のモニタリングを継続するかを評価するために、判定ステップ８５０が実行されうる。モニタリングを継続することが選択された場合、処理はステップ８１０に戻り、さらなるネットワークの追加または存在が検出される。この後、追加のネットワーク（単数または複数）について、処理ステップ８１０乃至８５０が、繰り返されうる。いくつかの実施では、処理８００は、判定ステップ８５０を実行することなく、連続的に繰り返されうる。それに加えて、いくつかの実施では、処理８００はさらに、ステップ８３０において、隣接ネットワークの解除に基づいて、チャネル割当を再評価するように構成されうる。
【０１０３】
直交化は、いくつかの方式で実行されうる。１つの典型的な実施では、ＨｅＮＢは、マクロＰＣＣＨからのリソース割当をモニタリングすることによって直交化を実行し、このモニタリングに基づいて、直交信号を選択する。
【０１０４】
別の実施では、直交選択および制御は、制御エンティティからなされる。これは、ＨｅＮＢ管理サーバ（ＨＥＭＳ）でありうる。これは一般に、キャリアの通信施設またはＯＡＭに位置する。
【０１０５】
別の実施では、一般的にはグループであるが、典型的にはペアをなす直交チャネルを、ＨｅＮＢが選択する。
【０１０６】
１つの実施では、直交化は、隣接キャリア帯域幅における制御チャネルのセットを判定することによって、および、制御チャネルの第２のセットが、第１のセットに直交化するように選択されるように、ＨｅＮＢ内に第２のセットを割り当てることによってなされうる。制御チャネルは、アップリンク制御チャネルでありうる。
【０１０７】
ＷＣＤＭＡシステムで見られる干渉の性質は、ＬＴＥにおけるものとは非常に異なる。例えば、ＷＣＤＭＡでは、広帯域Ｃ−ＰＩＣＨが、アイドル・モードにある場合でさえ、ＨＮＢによって終始送信される。この電力は、例えば、合計送信電力を１０ｄＢ下回る。したがって、アクティブなＵＥを持たないＨＮＢは、アクティブなＨＮＢと比べて、さほど干渉を引き起こさない。しかしながら、これはＨｅＮＢの場合には当てはまらないことがありうる。アクティブなＵＥを持たないＨｅＮＢは、例えばＰＳＳ、ＳＳＳ、および、共通ＲＳのような信号を送信する必要がある。これらは一般に、データ（ＰＤＳＣＨ）送信と同等のｐ．ｓ．ｄを有する。
【０１０８】
同期システムでは、ＳＳＳ位置がオーバラップし、ＣＲＳ位置がオーバラップする。このような場合、アクティブなＵＥを持たないＨｅＮＢからの干渉状態のインパクトは、アクティブなＵＥを持つＨｅＮＢからのものとあまり変わらない。これは、ＨＮＢとは異なる方式で、システム・レベル・パフォーマンスに影響を与えるだろう。
【０１０９】
一般に、フェムトセルが近隣のチャネルおよびキャリアにインパクトを与えるべきではないことは、特に、これらのキャリアが、異なるオペレータによって所有されている場合、非常に重要である。この理由により、隣接キャリアにおけるノードＢの存在を感知するＨＮＢのために指定された送信電力制限がある。
【０１１０】
ＨｅＮＢの場合には、干渉緩和のための要件は、以前に説明したように、電力および帯域幅利用の違いを含む異なるタイプの干渉状態を考慮しながら、ＨＮＢのものとは異なって選択されうる。例えば、１つの典型的な実施では、図７の処理７００の例に示すように、ＨｅＮＢは、近隣キャリアにおける他のオペレータによって使用されているＬＴＥキャリアとＷＣＤＭＡキャリアとの両方の存在を検出し、これにしたがって電力レベルを選択するべきである。
【０１１１】
さらに、いくつかのＨｅＮＢ実施については、電力制御および電力制限に加えて、あるいは、その代わりに、他の技術が使用されうる。１つの設計では、帯域の中心に比べて、帯域の端部においてより低い電力が使用されるように、ロウ・パス・フィルタを用いた電力シェーピングが使用されうる。これは、隣接チャネル干渉（ＡＣＩ）を低下させることに役立ちうる。これは、例えば、これらの周波数における干渉を最小化するように、チャネル内の重要な帯域幅内の、あるいは、帯域端部における出力送信信号をフィルタすることによってなされうる。しかしながら、フィルタは、好適には、ＵＥに対して透過的である（そして、ＵＥに対して単にマルチ・パスとして見える）ように選択されるべきである。
【０１１２】
図９Ａおよび図９Ｂは、１つの実施を用いて、シグナリングの詳細を例示する。図９Ａでは、ＨｅＮＢは、帯域９２０で動作している隣接チャネルに近い帯域９１０で動作している。狭いガード帯域９３０が、帯域９１０と帯域９２０との間に存在する。信号エネルギが、ＨｅＮＢ帯域９１０内の信号から、９２０へ広がり、および／または、受信機信号処理においてオーバラップし、干渉を引き起こす。
【０１１３】
これを緩和するために、ＨｅＮＢは、本明細書ですでに説明したように、隣接ネットワークと、例えば電力および／または帯域幅のようなその特性とを検出し、次に、図９Ｂに示すように、ＨｅＮＢの出力をフィルタする。このフィルタリングは、図９Ｂに示すように帯域幅全体を対称的に狭くするようになされ、および／または、送信された信号を、（図示しない）非対称方式でフィルタおよび／またはシフトすることを含みうる。
【０１１４】
１つの実施では、このフィルタリングは、ＣＤＤ技術を用いて実行されうる。特に、ＣＤＤは、送信された信号の複数の時間遅れバージョンを提供するために使用されうる。これらは、実際、受信機／ＵＥから見た場合、送信された信号のロウ・パス・フィルタとして見られる。
【０１１５】
別の設計では、ＨｅＮＢは、電力低下およびフィルタリングに加えて、隣接チャネル信号を検出し、その帯域幅を調節または制限しうる。隣接チャネル信号は、ＨｅＮＢの帯域幅とオーバラップする帯域幅で有効であるか、あるいは、ＨｅＮＢによって使用されているものに近い帯域幅にありうる。
【０１１６】
図１０Ａは、（例えばマクロセル帯域のような）隣接チャネルによって使用される帯域１０２０の全てまたは一部とオーバラップする帯域１０１０において、比較的高い電力レベルでＨｅＮＢが動作する１つの構成を例示する。さまざまな実施において、隣接チャネル信号は、マクロセル、ミクロセル、ピコセル、フェムトセル、あるいはその他の無線ネットワーク構成に存在しうる。
【０１１７】
ＬＴＥでは、図３に示すように、帯域幅が、リソース・ブロック内に割り当てられる。そして、これらは、リソース・ブロック毎に１２のサブキャリアからなる幅に制限されうる。ＨｅＮＢは一般に、これら周波数割当を制御する。そして、これによって、干渉を緩和するように、利用可能な帯域幅内のサブキャリアを選択しうる。
【０１１８】
図１０Ｂは、干渉を緩和するために周波数調節されたＨｅＮＢ送信信号を例示する。図１０Ｂに示す例では、帯域幅調節された信号が、帯域１０２０に対してオフセット（または、中心化（図示せず））された帯域１０３０を占有しうる。
【０１１９】
図１０Ｃは、干渉を緩和するために、周波数調節された別のＨｅＮＢ送信信号を例示する。図１０Ｃでは、ＨｅＮＢ送信信号は、（隣接しているか、あるいは、図１０Ｃに示すように隣接していない帯域１０４０Ａ、１０４０Ｂを含む）帯域１０４０を占有しうる。いくつかの実施形態では、例えば１．０８ＭＨｚ中心のチャネル（または、図示しないその他の重要なチャネル）のように、隣接ネットワークにおける重要なチャネルにおける干渉を緩和するように、ＨｅＮＢ信号を調節することが特に重要でありうる。
【０１２０】
帯域幅選択処理１１００の例は、図１１に示すアプローチと一貫している。処理１１００は、隣接チャネルとの干渉を緩和するように送信信号を調節するために、ＨｅＮＢにおいて使用されうる。ステージ１１１０では、隣接チャネル（単数または複数）および関連付けられたネットワーク（単数または複数）が検出される。検出されると、ステージ１１２０では、（前述した電力利用のみならず、）隣接チャネル周波数割当が決定されうる。この決定に基づいて、ステージ１１３０では、調節された帯域幅割当が決定されうる。ステージ１１４０では、調節された構成で動作するようにリソースが設定されうる。これは、例えば、ＨｅＮＢ、あるいは、ＨＥＭＳ、ＯＡＭ、またはその他のキャリア要素の何れかにおいて、隣接チャネル帯域の一部を回避できるように、ＨｅＮＢにおいてリソース・ブロックを割り当てることを含みうる。処理１１００は、ステージ１１５０において、定期的または非同期的に繰り返されうる。
【０１２１】
１つの実施では、使用されている合計帯域幅またはＰＤＳＣＨ使用の何れかを、利用可能な合計帯域幅の一部に制限することによって、帯域幅調節がなされうる。ＨｅＮＢは、その後、隣接チャネル干渉を制限するように、あるいは、隣接キャリアによって使用されている重要なチャネルまたは帯域を回避するように、帯域の端部から離れた帯域幅の一部を占有することによって動作しうる。
【０１２２】
いくつかの実施では、異なるガード・プロファイルが、ＰＢＣＨにおける帯域幅を示すために使用されるビットを用いて、ＨｅＮＢのために設計され、これによって、ＨｅＮＢおよび通常のｅＮＢとは異なって解釈されうる。
【０１２３】
別の設計では、異なるＨｅＮＢのための電力レベルおよび帯域幅のためのルールが、ｅＮＢのためのものとは異なるように選択される。例えば、ＨｅＮＢは、近隣キャリアにおける信号（例えば、ＣＰＩＣＨまたはＣＲＳ）の存在を検出し、その後、電力、帯域幅、またはこれらの組み合わせを低下させうる。
【０１２４】
１つの実施では、帯域幅割当が、低電力を用いた帯域幅全体を用いた場合と比較される。非対称の帯域幅が使用された場合、ＤＬ帯域幅は、アップリンク帯域幅を縮小せずに縮小されうる。
【０１２５】
さらに、キャリア内の干渉状態と格闘するために、部分的な帯域幅共存も使用されうる。このような場合、帯域幅は、図１０Ｃに示すように、重要な制御チャネル（例えば、ＰＳＳ／ＳＳＳ等を含む中心１．０８ＭＨｚ）を回避するように選択されうる。ＵＥは、帯域幅の別の部分を用いて、恐らくはＨｅＮＢの共存によって引き起こされる干渉状態を知るように構成されうる。例えば、これは、フェムトを持たないサブキャリアと異なるように、フェムトを持つサブキャリアで受信された変調シンボルを重み付けうる。これら帯域幅のおのおのにおいて、別の方法で干渉状態をレポートするために、新たなＵＥレポートが提供されうる。
【０１２６】
１つの構成では、本明細書に記載された無線通信のための装置は、本明細書に記載されたようなさまざまな機能を実行するための手段を含む。例えば図２に示すような本発明の実施形態が存在し、前述した手段によって記述された機能を実行するように構成された１つの態様では、前述の手段は、プロセッサ（単数または複数）および関連するメモリでありうる。別の態様では、前述の手段は、前述の手段によって記述された機能を実行するように構成されたモジュールまたは任意の装置でありうる。これらは、例えば、図１、図３乃至５に示すようなＨｅＮＢ、ＡＰ、ＵＥ、および／またはＡＴ内に存在するモジュールまたは装置でありうる。
【０１２７】
１または複数の典型的な実施形態では、記載された機能は、ハードウェア、ソフトウェア、ファームウェア、あるいはそれらの任意の組み合わせによって実現されうる。ソフトウェアで実現される場合、これら機能は、コンピュータ読取可能媒体上に格納されるか、あるいは、コンピュータ読取可能媒体上の１または複数の命令群またはコードとして符号化されうる。コンピュータ読取可能媒体は、コンピュータ記憶媒体を含む。記憶媒体は、コンピュータによってアクセスされうる利用可能な任意の媒体である。例として、限定することなく、このようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。本明細書で使用されるディスク（ｄｉｓｋおよびｄｉｓｃ）は、コンパクト・ディスク（ＣＤ）、レーザ・ディスク、光ディスク、デジタル・バーサタイル・ディスク（ＤＶＤ）、フロッピー（登録商標）ディスク、およびブルー・レイ・ディスクを含む。これらｄｉｓｃは、レーザを用いてデータを光学的に再生する。それに対して、ｄｉｓｋは、通常、データを磁気的に再生する。上記の組み合わせもまた、コンピュータ読取可能媒体の範囲内に含まれるべきである。
【０１２８】
ＨｅＮＢについて上記に詳述された技術は、本開示の範囲から逸脱することなく、他のタイプのセル（例えば、ピコ・セル）に適用されうることが理解されるべきである。開示された処理のステップの具体的な順序または階層は、典型的なアプローチの例であることが理解される。設計選択に基づいて、これら処理におけるステップの具体的な順序または階層は、本開示のスコープ内であることを保ちながら、再構成されうることが理解される。方法請求項は、さまざまなステップの要素を、サンプル順で示しており、示された具体的な順序または階層に限定されないことが意味される。
【０１２９】
当業者であれば、情報および信号は、さまざまな異なる技術および技法のうちの何れかを用いて表されうることを理解するであろう。例えば、上記説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【０１３０】
当業者であればさらに、本明細書で開示された実施形態に関連して記載された例示的なさまざまな論理ブロック、モジュール、回路、およびアルゴリズム・ステップは、電子的なハードウェア、コンピュータ・ソフトウェア、あるいはこれら両方の組み合わせとして実現されることを認識するであろう。ハードウェアとソフトウェアとの相互置換性を明確に説明するために、さまざまな例示的な構成要素、ブロック、モジュール、回路、およびステップが、それらの機能の観点から一般的に記載された。それら機能がハードウェアとしてまたはソフトウェアとして実現されるかは、特定のアプリケーションおよびシステム全体に課せられている設計制約に依存する。当業者であれば、特定のアプリケーションおのおのに応じて変化する方法で上述した機能を実現することができる。しかしながら、この適用判断は、本発明の範囲からの逸脱をもたらすものと解釈されるべきではない。
【０１３１】
本明細書で開示された実施形態に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロ・プロセッサを用いることが可能であるが、代わりに、従来技術によるプロセッサ、コントローラ、マイクロコントローラ、あるいは順序回路を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成である計算デバイスの組み合わせとして実現することも可能である。
【０１３２】
本明細書で開示された実施形態に関して記述された方法またはアルゴリズムのステップは、ハードウェアにおいて直接的に、プロセッサによって実行されるソフトウェア・モジュールによって、あるいはこれら２つの組み合わせによって具体化されうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に収納されうる。典型的な記憶媒体は、この記憶媒体から情報を読み取ったり、この記憶媒体に情報を書き込むことができるプロセッサのようなプロセッサに接続される。あるいは、この記憶媒体は、プロセッサに統合されうる。このプロセッサと記憶媒体とは、ＡＳＩＣ内に存在することができる。ＡＳＩＣは、ユーザ端末内に存在することもできる。あるいはプロセッサと記憶媒体とは、ユーザ端末内のディスクリート部品として存在することができる。
【０１３３】
開示された実施形態の上記記載は、当業者をして、本開示の製造または利用を可能とするように提供される。これら実施形態に対する様々な変形例もまた、当業者には明らかであって、本明細書で定義された一般的な原理は、本開示の主旨または範囲から逸脱することなく他の例にも適用されうる。このように、本発明は、本明細書で示された実施形態に限定されるものではなく、本明細書で開示された原理および新規な特徴に一致した最も広い範囲に相当することが意図されている。
【０１３４】
特許請求の範囲は、本明細書に示された態様に限定されず、請求項の文言と一貫したすべての範囲が与えられることが意図されており、ここで、単数形による要素への参照は、もしも明確に述べられていないのであれば、「１および１のみ」を意味するのではなく、「１または複数」を意味することが意図されている。特に明記されていない限り、用語「いくつか」は、１または複数を称する。アイテムのリストのうちの「少なくとも１つ」を称する句は、単数を含むこれらアイテムのうちの任意の組み合わせを称する。例として、「ａ、ｂ、またはｃのうちの少なくとも１つ」は、ａ、ｂ、ｃ、ａとｂ、ａとｃ、ｂとｃ、および、ａとｂとｃ、をカバーすることが意図される。
【０１３５】
以下の特許請求の範囲およびこの等価物が、本発明の範囲を規定することが意図される。
以下に本願発明の当初の特許請求の範囲に記載された発明を付記する。
［Ｃ１］
隣接チャネル干渉を最小化する方法であって、
無線ネットワークのノードにおいて、複数の隣接チャネルのうちの少なくとも１つにおいて受信した少なくとも１つの信号の電力レベルを判定することと、ここで、前記複数の隣接チャネルは、第１のネットワーク・タイプの隣接する無線ネットワークによって、あるいは、第２のネットワーク・タイプの隣接する無線ネットワークによって使用されており、
前記電力レベルが判定されることに応じて、前記ノードの出力電力を調節することとを備える方法。
［Ｃ２］
前記第１のネットワーク・タイプは、ユニバーサル地上ラジオ・アクセス（ＵＴＲＡ）ネットワークを備え、
前記第２のネットワーク・タイプは、イボルブド・ユニバーサル地上ラジオ・アクセス（Ｅ−ＵＴＲＡ）ネットワークを備えるＣ１に記載の方法。
［Ｃ３］
前記電力レベルは、予め定められた信号の測定された電力を備えるＣ１に記載の方法。
［Ｃ４］
前記調節することは、前記出力電力を、予め定められた最大出力電力未満に制限することを備えるＣ１に記載の方法。
［Ｃ５］
前記電力レベルは、測定されたパイロット電力を備え、
前記電力レベルを判定することは、前記隣接チャネルのうちの少なくとも１つで送信された共通パイロット・チャネルの電力を測定することによって、前記測定されたパイロット電力を判定することを備えるＣ１に記載の方法。
［Ｃ６］
前記電力レベルを判定することは、合計受信電力密度を前記ノードにおいて測定することを備え、
前記調節することは、前記測定されたパイロット電力と、前記合計受信電力密度との間の関係に基づいて、前記出力電力を低下させることを備えるＣ５に記載の方法。
［Ｃ７］
前記電力レベルは、前記隣接チャネルのうちの少なくとも１つで送信されたプライマリ共通パイロット・チャネル（ＣＰＩＣＨ）信号の符号電力を備えるＣ６に記載の方法。
［Ｃ８］
前記電力レベルは、リソース要素毎の基準信号受信電力を備え、
前記電力レベルを判定することは、前記隣接チャネルのうちの１つで送信された基準信号を前記ノードにおいて測定することによって、前記リソース要素毎の基準信号受信電力を判定することを備えるＣ１に記載の方法。
［Ｃ９］
前記リソース要素毎の基準信号受信電力は、複数の送信アンテナにわたるリソース要素毎の複数の基準信号受信電力値の平均を備えるＣ８に記載の方法。
［Ｃ１０］
前記電力レベルを判定することは、前記ノードにおいて合計受信電力密度を測定することを備え、
前記調節することは、前記リソース要素毎の基準信号受信電力と前記合計受信電力密度との間の関係に基づいて前記出力電力を低下させることを備えるＣ８に記載の方法。
［Ｃ１１］
前記ノードは、複数の送信アンテナを備え、
前記出力電力は、前記複数の送信アンテナによって送信された電力の合計を備えるＣ１に記載の方法。
［Ｃ１２］
前記ノードは、ホームｅノードＢ（ＨｅＮＢ）またはフェムト・ノードであるＣ１に記載の方法。
［Ｃ１３］
前記第１のネットワーク・タイプの隣接する無線ネットワークは、マクロセル、マイクロセル、ピコセル、リレー、およびフェムトセルのうちの少なくとも１つを備えるＣ１に記載の方法。
［Ｃ１４］
前記隣接チャネルが、前記第１のネットワーク・タイプの無線ネットワーク、または、前記第２のネットワーク・タイプの無線ネットワークによって使用されているかを判定することを備えるＣ１に記載の方法。
［Ｃ１５］
前記隣接チャネルに関連付けられたネットワークのネットワーク・タイプを判定することをさらに備え、
前記出力電力レベルを調節することは、前記ネットワーク・タイプに少なくとも部分的に基づくＣ１４に記載の方法。
［Ｃ１６］
フェムト・ノードであって、
複数の隣接チャネルのうちの少なくとも１つのチャネルで受信した少なくとも１つの信号の電力レベルを判定するように構成された信号電力判定部と、ここで、前記複数の隣接チャネルは、第１のネットワーク・タイプの隣接する無線ネットワークによって、あるいは、第２のネットワーク・タイプの隣接する無線ネットワークによって使用されており、  前記電力レベルが判定されることに応じて、前記フェムト・ノードの出力電力を調節するように構成された送信電力コントローラと
を備えるフェムト・ノード。
［Ｃ１７］
前記第１のネットワーク・タイプは、ユニバーサル地上ラジオ・アクセス（ＵＴＲＡ）ネットワークを備え、
前記第２のネットワーク・タイプは、イボルブド・ユニバーサル地上ラジオ・アクセス（Ｅ−ＵＴＲＡ）ネットワークを備えるＣ１６に記載のフェムト・ノード。
［Ｃ１８］
前記電力レベルは、予め定められた信号の測定された電力を備えるＣ１７に記載のフェムト・ノード。
［Ｃ１９］
前記電力レベルは、測定されたパイロット電力を備え、
前記信号電力判定部はさらに、前記隣接チャネルのうちの少なくとも１つで送信された共通パイロット・チャネルの電力を測定することによって、前記測定されたパイロット電力を判定するように構成されたＣ１５に記載のフェムト・ノード。
［Ｃ２０］
前記信号電力判定部は、合計受信電力密度を測定するように構成され、
前記送信電力コントローラは、前記測定されたパイロット電力と、前記合計受信電力密度との間の関係に基づいて、前記出力電力を低下させるように構成されたＣ１９に記載のフェムト・ノード。
［Ｃ２１］
前記測定されたパイロット電力は、前記隣接チャネルのうちの少なくとも１つで送信されたプライマリＣＰＩＣＨ信号の符号電力を備えるＣ２０に記載のフェムト・ノード。
［Ｃ２２］
複数の送信アンテナをさらに備え、
前記出力電力は、前記複数の送信アンテナによって送信された電力の合計を備えるＣ１６に記載のフェムト・ノード。
［Ｃ２３］
前記信号電力判定部は、
第３世代（３Ｇ）受信信号の電力レベルを判定するように構成された第１の回路と、  第４世代（４Ｇ）信号の電力レベルを判定するように構成された第２の回路と
を備えるＣ１６に記載のフェムト・ノード。
［Ｃ２４］
前記信号電力判定部はさらに、前記隣接チャネルが、前記第１のネットワーク・タイプの無線ネットワーク、または、前記第２のネットワーク・タイプの無線ネットワークによって使用されているかを判定するように構成されたＣ１６に記載のフェムト・ノード。
［Ｃ２５］
前記信号電力判定部は、前記隣接チャネルに関連付けられたネットワークのネットワーク・タイプを判定するように構成され、
前記送信電力コントローラは、前記ネットワーク・タイプに少なくとも部分的に基づいて前記出力電力レベルを調節するように構成されたＣ２４に記載のフェムト・ノード。
［Ｃ２６］
フェムト・ノードであって、
複数の隣接チャネルのうちの少なくとも１つのチャネルで受信した少なくとも１つの信号の電力レベルを判定する手段と、ここで、前記複数の隣接チャネルは、第１のネットワーク・タイプの隣接する無線ネットワークによって、あるいは、第２のネットワーク・タイプの隣接する無線ネットワークによって使用されており、
前記電力レベルが判定されることに応じて、前記フェムト・ノードの出力電力を調節する手段と
を備えるフェムト・ノード。
［Ｃ２７］
前記第１のネットワーク・タイプは、ユニバーサル地上ラジオ・アクセス（ＵＴＲＡ）ネットワークを備え、
前記第２のネットワーク・タイプは、イボルブド・ユニバーサル地上ラジオ・アクセス（Ｅ−ＵＴＲＡ）ネットワークを備えるＣ２６に記載のフェムト・ノード。
［Ｃ２８］
前記電力レベルは、予め定められた信号の測定された電力を備えるＣ２７に記載のフェムト・ノード。
［Ｃ２９］
前記電力レベルは、測定されたパイロット電力を備え、
前記電力レベルを判定する手段は、前記隣接チャネルのうちの少なくとも１つで送信された共通パイロット・チャネルの電力を測定する手段を備えるＣ２６に記載のフェムト・ノード。
［Ｃ３０］
前記電力レベルを判定する手段は、合計受信電力密度を測定する手段を備え、
前記調節する手段は、前記測定されたパイロット電力と、前記合計受信電力密度との間の関係に基づいて、前記出力電力を低下させる手段を備えるＣ２９に記載のフェムト・ノード。
［Ｃ３１］
前記測定されたパイロット電力は、前記隣接チャネルのうちの少なくとも１つで送信されたプライマリＣＰＩＣＨ信号の符号電力を備えるＣ３０に記載のフェムト・ノード。
［Ｃ３２］
前記電力レベルを判定する手段は、
第３世代（３Ｇ）受信信号の電力レベルを判定する手段と、
第４世代（４Ｇ）信号の電力レベルを判定する手段と
を備えるＣ２６に記載のフェムト・ノード。
［Ｃ３３］
コンピュータ読取可能媒体を備えるコンピュータ・プログラム製品であって、
前記コンピュータ読取可能媒体は、コンピュータに対して、
無線ネットワークのノードにおいて、複数の隣接チャネルのうちの少なくとも１つにおいて受信した少なくとも１つの信号の電力レベルを判定させ、ここで、前記複数の隣接チャネルは、第１のネットワーク・タイプの隣接する無線ネットワークによって、あるいは、第２のネットワーク・タイプの隣接する無線ネットワークによって使用されており、  前記電力レベルが判定されることに応じて、前記ノードの出力電力を調節させる、
ためのコードを備えるコンピュータ・プログラム製品。
［Ｃ３４］
前記第１のネットワーク・タイプは、ユニバーサル地上ラジオ・アクセス（ＵＴＲＡ）ネットワークを備え、
前記第２のネットワーク・タイプは、イボルブド・ユニバーサル地上ラジオ・アクセス（Ｅ−ＵＴＲＡ）ネットワークを備えるＣ３３に記載のコンピュータ・プログラム製品。
［Ｃ３５］
前記コンピュータに対して、出力電力を調節させるためのコードは、前記コンピュータに対して、前記出力電力を、予め定められた最大出力電力未満に低下させるためのコードを備えるＣ３３に記載のコンピュータ・プログラム製品。
［Ｃ３６］
前記電力レベルは、測定されたパイロット電力を備え、
前記コンピュータに対して、前記受信信号電力を感知させるためのコードは、前記コンピュータに対して、前記隣接チャネルのうちの少なくとも１つで送信された共通パイロット・チャネルの電力を測定することによって、前記測定されたパイロット電力を判定させるためのコードを備えるＣ３３に記載のコンピュータ・プログラム製品。
［Ｃ３７］
前記コンピュータに対して、出力電力を調節させるためのコードは、前記コンピュータに対して、合計受信電力密度を測定させ、前記測定されたパイロット電力と、前記合計受信電力密度との間の関係に基づいて、前記出力電力を低下させるためのコードを備えるＣ３６に記載のコンピュータ・プログラム製品。
［Ｃ３８］
前記受信信号電力は、前記隣接チャネルのうちの少なくとも１つで送信されたプライマリＣＰＩＣＨ信号の符号電力を備えるＣ３７に記載のコンピュータ・プログラム製品。
［Ｃ３９］
前記電力レベルは、リソース要素毎の基準信号受信電力を備え、
前記コンピュータに対して、前記受信信号電力を感知させるためのコードは、前記コンピュータに対して、前記隣接チャネルのうちの１つで送信された基準信号を測定することによって、前記リソース要素毎の基準信号受信電力を判定させるためのコードを備えるＣ３３に記載のコンピュータ・プログラム製品。
［Ｃ４０］
前記コンピュータに対して、電力レベルを判定させるためのコードは、前記コンピュータに対して、合計受信電力密度を測定させるためのコードを備え、
前記コンピュータに対して、出力電力を調節させるためのコードは、前記コンピュータに対して、前記リソース要素毎の基準信号受信電力と前記合計受信電力密度との間の関係に基づいて前記出力電力を低下させるためのコードを備えるＣ３９に記載のコンピュータ・プログラム製品。
［Ｃ４１］
前記コードは、前記隣接チャネルが、前記第１のネットワーク・タイプの無線ネットワーク、または、前記第２のネットワーク・タイプの無線ネットワークによって使用されているかを判定するためのコードを備えるＣ３３に記載のコンピュータ・プログラム製品。
［Ｃ４２］
前記コードは、前記隣接チャネルに関連付けられたネットワークのネットワーク・タイプを判定するためのコードを備え、
前記出力電力を調節するためのコードは、前記ネットワーク・タイプに少なくとも部分的に基づいて出力電力レベルを調節するためのコードを備えるＣ４１に記載のコンピュータ・プログラム製品。
［Ｃ４３］
前記コードは、
第３世代（３Ｇ）受信信号の電力レベルを判定するためのコードと、
第４世代（４Ｇ）信号の電力レベルを判定するためのコードと
を備えるＣ３３に記載のコンピュータ・プログラム製品。
［Ｃ４４］
干渉緩和のための方法であって、
第１のキャリア帯域幅内の第１の複数のサブキャリアが、アップリンク制御チャネルの第１のセットをマクロセル・ノードへ伝送するために使用されていることを判定することと、
前記アップリンク制御チャネルの第２のセットをフェムトセル・ノードへ伝送する際に使用するために、第２のキャリア帯域幅内の第２の複数のサブキャリアを割り当てることと、ここで、前記第１の複数のサブキャリアと、前記第２の複数のサブキャリアとは直交している、
を備える方法。
［Ｃ４５］
前記調節することは、前記フェムトセル・ノードにおいて、前記第１の複数のサブキャリアを識別する情報を受信することを備えるＣ４４に記載の方法。
［Ｃ４６］
前記調節することは、前記フェムトセル・ノードにおいて、前記第１の複数のサブキャリアを感知することを備えるＣ４３に記載の方法。
［Ｃ４７］
干渉緩和のための方法であって、
第１の無線通信システムのノードにおいて、第２の無線通信システムの１または複数のノードによって送信された受信信号電力レベルを判定することと、
前記電力レベルが判定されることに応じて、前記ノードによって送信される信号の帯域幅を調節することと
を備える方法。
［Ｃ４８］
前記電力レベルに応じて、前記ノードによって送信される信号の送信電力を調節することをさらに備えるＣ４７に記載の方法。
［Ｃ４９］
前記調節することは、送信信号フィルタリングを備えるＣ４８に記載の方法。
［Ｃ５０］
前記送信信号フィルタリングは、循環遅延ダイバーシティ（ＣＤＤ）を用いてフィルタリングすることを備えるＣ４９に記載の方法。
［Ｃ５１］
前記ノードによって送信された信号は、複数のサブキャリアを備え、
前記調節することはさらに、
前記複数のサブキャリアのうちの１または複数の送信電力を低下させることと、
前記複数のサブキャリアのうちの他のものの送信電力を増加させることと
を備えるＣ４９に記載の方法。
［Ｃ５２］
前記ノードによって送信された信号は、複数のサブキャリアを備え、
前記調節することはさらに、前記ノードからの信号送信を、前記複数のサブキャリアのサブセットに制限することを備えるＣ４７に記載の方法。
［Ｃ５３］
前記複数のサブキャリアのサブセットは、前記第１の無線通信システムに関連付けられた第１のキャリア帯域幅のサブキャリアに隣接した端部を含まないＣ４７に記載の方法。
［Ｃ５４］
第１のキャリア帯域幅が、前記第１の無線通信システムに関連付けられ、第２のキャリア帯域幅が、前記第２の無線通信システムに関連付けられ、前記第１のキャリア帯域幅は、少なくとも部分的に、前記第２のキャリア帯域幅とオーバラップするＣ４７に記載の方法。
［Ｃ５５］
前記調節することはさらに、前記第２のキャリア帯域幅内の制御チャネルを回避するために、前記第１のキャリア帯域幅を制限することを備えるＣ５４に記載の方法。
［Ｃ５６］
無線通信ネットワークにおいて通信する方法であって、
マクロセル・ノードによって送信される予め定められた信号を、フェムトセル・ノードにおいて判定することと、
前記予め定められた信号を判定することに応じて、前記フェムトセル・ノードによって送信される信号の帯域幅を調節することと
を備える方法。
［Ｃ５７］
前記調節することは、前記フェムトセル・ノードからの送信を、第１のキャリア帯域幅内に構成された複数のサブキャリアのサブセットに制限することを備えるＣ５６に記載の方法。
［Ｃ５８］
前記複数のサブキャリアのサブセットは、前記マクロセル・ノードに関連付けられた第２のキャリア帯域幅に隣接した前記第１のキャリア帯域幅の第の端部に隣接した１または複数のサブキャリアを含まないＣ５６に記載の方法。
［Ｃ５９］
前記予め定められた信号を感知することに応じて、前記フェムトセル・ノードによって送信される信号の送信電力を調節することをさらに備えるＣ５６に記載の方法。
［Ｃ６０］
前記フェムトセル・ノードによって送信された信号は、複数のサブキャリアを備え、  前記方法はさらに、前記複数のサブキャリアのうちの第１のサブセットの送信電力を低下させることを備えるＣ５９に記載の方法。
［Ｃ６１］
前記複数のサブキャリアのうちの第２のサブセットの送信電力を増加させることをさらに備えるＣ６０に記載の方法。
［Ｃ６２］
方法であって、
マクロセル・ノードから、第１の複数のサブキャリア信号を受信することと、
前記マクロセル・ノードから、第２の複数のサブキャリア信号を受信することと、ここで、前記第２の複数のサブキャリアは、フェムトセル・ノードと共有された帯域幅内に含まれており、
前記第２の複数のサブキャリア信号によって伝送された第２の複数の変調シンボルに対して異なるように、前記第１の複数のサブキャリア信号によって伝送される第１の複数の変調シンボルを重み付けることと
を備える方法。
［Ｃ６３］
通信デバイスで使用される装置であって、
メモリと、前記メモリに接続されたプロセッサとを備え、
前記プロセッサは、
無線ネットワークのノードにおいて、複数の隣接チャネルのうちの少なくとも１つにおいて受信した少なくとも１つの信号の電力レベルを判定し、ここで、前記複数の隣接チャネルは、第１のネットワーク・タイプの隣接する無線ネットワークによって、あるいは、第２のネットワーク・タイプの隣接する無線ネットワークによって使用されており、
前記電力レベルが判定されることに応じて、前記ノードの出力電力を調節する、
ための、前記メモリに格納された命令群を実行するように構成された装置。
［Ｃ６４］
フェムト・ノードであって、
第１のキャリア帯域幅内の第１の複数のサブキャリアが、アップリンク制御チャネルの第１のセットをマクロセル・ノードへ伝送するために使用されていることを判定するように構成された信号電力判定部と、
前記アップリンク制御チャネルの第２のセットをフェムトセル・ノードへ伝送する際に使用するために、第２のキャリア帯域幅内の第２の複数のサブキャリアを割り当てるように構成された送信電力コントローラと、ここで、前記第１の複数のサブキャリアと、前記第２の複数のサブキャリアとは直交している、
を備えるフェムト・ノード。
［Ｃ６５］
フェムト・ノードであって、
第１のキャリア帯域幅内の第１の複数のサブキャリアが、アップリンク制御チャネルの第１のセットをマクロセル・ノードへ伝送するために使用されていることを判定する手段と、
前記アップリンク制御チャネルの第２のセットをフェムトセル・ノードへ伝送する際に使用するために、第２のキャリア帯域幅内の第２の複数のサブキャリアを割り当てる手段と、ここで、前記第１の複数のサブキャリアと、前記第２の複数のサブキャリアとは直交している、
を備えるフェムト・ノード。
［Ｃ６６］
コンピュータ読取可能媒体を備えるコンピュータ・プログラム製品であって、
前記コンピュータ読取可能媒体は、コンピュータに対して、
第１のキャリア帯域幅内の第１の複数のサブキャリアが、アップリンク制御チャネルの第１のセットをマクロセル・ノードへ伝送するために使用されていることを判定させ、  前記アップリンク制御チャネルの第２のセットをフェムトセル・ノードへ伝送する際に使用するために、第２のキャリア帯域幅内の第２の複数のサブキャリアを割り当てさせる、ここで、前記第１の複数のサブキャリアと、前記第２の複数のサブキャリアとは直交している、
ためのコードを備えるコンピュータ・プログラム製品。
［Ｃ６７］
通信デバイスで使用される装置であって、
メモリと、前記メモリに接続されたプロセッサとを備え、
前記プロセッサは、
第１のキャリア帯域幅内の第１の複数のサブキャリアが、アップリンク制御チャネルの第１のセットをマクロセル・ノードへ伝送するために使用されていることを判定し、
前記アップリンク制御チャネルの第２のセットをフェムトセル・ノードへ伝送する際に使用するために、第２のキャリア帯域幅内の第２の複数のサブキャリアを割り当てる、ここで、前記第１の複数のサブキャリアと、前記第２の複数のサブキャリアとは直交している、
ための、前記メモリに格納された命令群を実行するように構成された装置。
［Ｃ６８］
フェムト・ノードであって、
第１の無線通信システムのノードにおいて、第２の無線通信システムの１または複数のノードによって送信された受信信号電力レベルを判定し、
前記電力レベルに応じて、前記ノードによって送信される信号の帯域幅を調節する
ように構成された信号電力判定部を備えるフェムト・ノード。
［Ｃ６９］
フェムト・ノードであって、
第１の無線通信システムのノードにおいて、第２の無線通信システムの１または複数のノードによって送信された受信信号電力レベルを判定する手段と、
前記電力レベルに応じて、前記ノードによって送信される信号の帯域幅を調節する手段と
を備えるフェムト・ノード。
［Ｃ７０］
コンピュータ読取可能媒体を備えるコンピュータ・プログラム製品であって、
前記コンピュータ読取可能媒体は、コンピュータに対して、
第１の無線通信システムのノードにおいて、第２の無線通信システムの１または複数のノードによって送信された受信信号電力レベルを判定させ、
前記電力レベルに応じて、前記ノードによって送信される信号の帯域幅を調節させる、ためのコードを備えるコンピュータ・プログラム製品。
［Ｃ７１］
通信デバイスで使用される装置であって、
メモリと、前記メモリに接続されたプロセッサとを備え、
前記プロセッサは、
第１の無線通信システムのノードにおいて、第２の無線通信システムの１または複数のノードによって送信された受信信号電力レベルを判定し、
前記電力レベルに応じて、前記ノードによって送信される信号の帯域幅を調節する、ための、前記メモリに格納された命令群を実行するように構成された装置。
［Ｃ７２］
フェムト・ノードであって、
マクロセル・ノードによって送信される予め定められた信号を、フェムトセル・ノードにおいて判定し、
前記予め定められた信号を判定することに応じて、前記フェムトセル・ノードによって送信される信号の帯域幅を調節する、
ように構成された信号電力判定部を備えたフェムト・ノード。
［Ｃ７３］
フェムト・ノードであって、
マクロセル・ノードによって送信される予め定められた信号を、フェムトセル・ノードにおいて判定する手段と、
前記予め定められた信号を判定することに応じて、前記フェムトセル・ノードによって送信される信号の帯域幅を調節する手段と
を備えるフェムト・ノード。
［Ｃ７４］
コンピュータ読取可能媒体を備えるコンピュータ・プログラム製品であって、
前記コンピュータ読取可能媒体は、コンピュータに対して、
マクロセル・ノードによって送信される予め定められた信号を、フェムトセル・ノードにおいて判定させ、
前記予め定められた信号を判定することに応じて、前記フェムトセル・ノードによって送信される信号の帯域幅を調節させる、
ためのコードを備えるコンピュータ・プログラム製品。
［Ｃ７５］
通信デバイスで使用される装置であって、
メモリと、前記メモリに接続されたプロセッサとを備え、
前記プロセッサは、
マクロセル・ノードによって送信される予め定められた信号を、フェムトセル・ノードにおいて判定し、
前記予め定められた信号を判定することに応じて、前記フェムトセル・ノードによって送信される信号の帯域幅を調節する、
ための、前記メモリに格納された命令群を実行するように構成された装置。
［Ｃ７６］
フェムト・ノードであって、
マクロセル・ノードから、第１の複数のサブキャリア信号を受信し、
前記マクロセル・ノードから、第２の複数のサブキャリア信号を受信し、ここで、前記第２の複数のサブキャリアは、フェムトセル・ノードと共有された帯域幅内に含まれており、
前記第２の複数のサブキャリア信号によって伝送された第２の複数の変調シンボルに対して異なるように、前記第１の複数のサブキャリア信号によって伝送される第１の複数の変調シンボルを重み付ける、
ように構成された信号電力判定部を備えるフェムト・ノード。
［Ｃ７７］
フェムト・ノードであって、
マクロセル・ノードから、第１の複数のサブキャリア信号を受信する手段と、
前記マクロセル・ノードから、第２の複数のサブキャリア信号を受信する手段と、ここで、前記第２の複数のサブキャリアは、フェムトセル・ノードと共有された帯域幅内に含まれており、
前記第２の複数のサブキャリア信号によって伝送された第２の複数の変調シンボルに対して異なるように、前記第１の複数のサブキャリア信号によって伝送される第１の複数の変調シンボルを重み付ける手段と
を備えるフェムト・ノード。
［Ｃ７８］
コンピュータ読取可能媒体を備えるコンピュータ・プログラム製品であって、
前記コンピュータ読取可能媒体は、コンピュータに対して、
マクロセル・ノードから、第１の複数のサブキャリア信号を受信させ、
前記マクロセル・ノードから、第２の複数のサブキャリア信号を受信させ、ここで、前記第２の複数のサブキャリアは、フェムトセル・ノードと共有された帯域幅内に含まれており、
前記第２の複数のサブキャリア信号によって伝送された第２の複数の変調シンボルに対して異なるように、前記第１の複数のサブキャリア信号によって伝送される第１の複数の変調シンボルを重み付けさせる、
ためのコードを備えるコンピュータ・プログラム製品。
［Ｃ７９］
通信デバイスで使用される装置であって、
メモリと、前記メモリに接続されたプロセッサとを備え、
前記プロセッサは、
マクロセル・ノードから、第１の複数のサブキャリア信号を受信し、
前記マクロセル・ノードから、第２の複数のサブキャリア信号を受信し、ここで、前記第２の複数のサブキャリアは、フェムトセル・ノードと共有された帯域幅内に含まれており、
前記第２の複数のサブキャリア信号によって伝送された第２の複数の変調シンボルに対して異なるように、前記第１の複数のサブキャリア信号によって伝送される第１の複数の変調シンボルを重み付ける、
ための、前記メモリに格納された命令群を実行するように構成された装置。
【図１】
0005944345.tif 000002
【図２】
0005944345.tif 000003
【図３】
0005944345.tif 000004
【図４】
0005944345.tif 000005
【図５】
0005944345.tif 000006
【図６】
0005944345.tif 000007
【図７】
0005944345.tif 000008
【図８】
0005944345.tif 000009
【図９Ａ】
0005944345.tif 000010
【図９Ｂ】
0005944345.tif 000011
【図１０Ａ】
0005944345.tif 000012
【図１０Ｂ】
0005944345.tif 000013
【図１０Ｃ】
0005944345.tif 000014
【図１１】
0005944345.tif 000015